(57)【要約】  本発明の実施例は通信分野に関し、端末デバイスが複数のサブキャリア間隔をサポートするシステムにアクセスできるようにネットワークデバイスにより信号を送信する方法の問題を解決するための信号送信方法、ネットワークデバイス、及び端末デバイスを提供する。当該方法は、ネットワークデバイスにより、送信されるべき第１の信号のサブキャリア位置及び送信されるべき第２の信号のサブキャリア位置を決定するステップであり、第１の信号により占有されるサブキャリアは第１のリソースエレメントグループ内の第１の連続サブキャリアであり、第２の信号により占有されるサブキャリアは第２のリソースエレメントグループ内の第２の連続サブキャリアであり、第１の信号により占有されるサブキャリアの数は第２の信号により占有されるサブキャリアの数と同じであり、第１のリソースエレメントグループ内のサブキャリア間隔は第２のリソースエレメントグループのサブキャリア間隔と異なる、ステップと、ネットワークデバイスにより、第１の信号の決定されたサブキャリア位置で第１の信号を送信し、第２の信号の決定されたサブキャリア位置で第２の信号を送信するステップとを含む。本発明の実施例は、端末デバイスによりセルにアクセスするためにセルサーチに使用される。
2019526966.tif 000002
【特許請求の範囲】
【請求項１】
信号送信方法であって、
ネットワークデバイスにより、送信されるべき第１の信号のサブキャリア位置及び送信されるべき第２の信号のサブキャリア位置を決定するステップであり、前記第１の信号により占有されるサブキャリアは第１のリソースエレメントグループ内の連続サブキャリアであり、前記第２の信号により占有されるサブキャリアは第２のリソースエレメントグループ内の連続サブキャリアであり、前記第１の信号により占有される前記サブキャリアの数は前記第２の信号により占有される前記サブキャリアの数と同じであり、前記第１のリソースエレメントグループ内のサブキャリア間隔は前記第２のリソースエレメントグループ内のサブキャリア間隔と異なる、ステップと、
前記ネットワークデバイスにより、前記第１の信号の前記決定されたサブキャリア位置で前記第１の信号を送信し、前記第２の信号の前記決定されたサブキャリア位置で前記第２の信号を送信するステップと、
を含む方法。
【請求項２】
前記第１の信号及び前記第２の信号は同期信号であり、前記連続サブキャリアはゼロ番目のサブキャリアを含まず、前記第１のリソースエレメントグループ及び前記第２のリソースエレメントグループは時間ドメインにおいて同じ数のシンボル又は異なる数のシンボルを占有し、時間ドメインにおいて１つのシンボル又は少なくとも２つの連続シンボルを占有する、請求項１に記載の方法。
【請求項３】
前記第１のリソースエレメントグループ内のサブキャリアの系列番号と前記第１の信号の変調シンボル又は系列要素との間の対応関係が、前記第２のリソースエレメントグループ内のサブキャリアの系列番号と前記第２の信号の変調シンボル又は系列要素との間の対応関係と同じである、請求項１又は２に記載の方法。
【請求項４】
前記ネットワークデバイスにより、前記第１の信号及び前記第２の信号を送信するステップの前、当該方法は、
前記ネットワークデバイスにより、送信されるべき第３の信号のサブキャリア位置及び送信されるべき第４の信号のサブキャリア位置を決定するステップであり、前記第３の信号により占有されるサブキャリアは第３のリソースエレメントグループ内の連続サブキャリアであり、前記第４の信号により占有されるサブキャリアは第４のリソースエレメントグループ内の連続サブキャリアであり、前記第３の信号により占有される前記サブキャリアの数は前記第４の信号により占有される前記サブキャリアの数と同じであり、前記第３のリソースエレメントグループ内のサブキャリア間隔は前記第１のリソースエレメントグループ内の前記サブキャリア間隔と同じであり、前記第４のリソースエレメントグループ内のサブキャリア間隔は前記第２のリソースエレメントグループ内の前記サブキャリア間隔と同じであり、前記第１の信号及び前記第２の信号はプライマリ同期信号であり、前記第３の信号及び前記第４の信号は少なくともセカンダリ同期信号を含む、ステップ
をさらに含む請求項１乃至３のうちいずれか１項に記載の方法。
【請求項５】
前記第３のリソースエレメントグループ内のサブキャリアの系列番号と前記第３の信号の変調シンボル又は系列要素との間の対応関係は、前記第４のリソースエレメントグループ内のサブキャリアの系列番号と前記第４の信号の変調シンボル又は系列要素との間の対応関係と同じである、請求項４に記載の方法。
【請求項６】
前記ネットワークデバイスが前記第３の信号及び前記第４の信号を送信する前、当該方法は、
前記ネットワークデバイスにより、送信されるべき第５の信号のサブキャリア位置及び送信されるべき第６の信号のサブキャリア位置を決定するステップであり、前記第５の信号により占有されるサブキャリアは第５のリソースエレメントグループ内の連続サブキャリアであり、前記第６の信号により占有されるサブキャリアは第６のリソースエレメントグループ内の連続サブキャリアであり、前記第５の信号により占有される前記サブキャリアの数は前記第６の信号により占有される前記サブキャリアの数と同じであり、前記第５のリソースエレメントグループ内のサブキャリア間隔は前記第１のリソースエレメントグループ及び／又は前記第３のリソースエレメントグループ内の前記サブキャリア間隔と同じであり、前記第６のリソースエレメントグループ内のサブキャリア間隔は前記第２のリソースエレメントグループ及び／又は前記第４のリソースエレメントグループ内の前記サブキャリア間隔と同じであり、前記第５の信号及び前記第６の信号は第１のブロードキャストチャネル信号又は第１のシステム情報ブロック信号である、ステップ
をさらに含む請求項４に記載の方法。
【請求項７】
前記第５の信号のデータ信号を搬送し且つ前記第５のリソースエレメントグループ内であるリソースエレメントの位置が、前記第６の信号のデータ信号を搬送し且つ前記第６のリソースエレメントグループ内であるリソースエレメントの位置と同じであり、前記第５の信号のパイロット信号を搬送し且つ前記第５のリソースエレメントグループ内であるリソースエレメントの位置が、前記第６の信号のパイロット信号を搬送し且つ前記第６のリソースエレメントグループ内であるリソースエレメントの位置と同じであり、前記リソースエレメントは単位シンボルにおける周波数ドメインリソースである、請求項６に記載の方法。
【請求項８】
前記第１のリソースエレメントグループと前記第３のリソースエレメントグループと前記第５のリソースエレメントグループとの中の少なくとも２つのリソースエレメントグループが同じ時間ドメインリソース上の異なる周波数ドメインリソースを占有し、前記第２のリソースエレメントグループと前記第４のリソースエレメントグループと前記第６のリソースエレメントグループとの中の少なくとも２つのリソースエレメントグループが同じ時間ドメインリソース上の異なる周波数ドメインリソースを占有する、請求項７に記載の方法。
【請求項９】
前記第１のリソースエレメントグループと前記第３のリソースエレメントグループと前記第５のリソースエレメントグループとの中の少なくとも１つのリソースエレメントグループにより占有される時間ドメインリソース上で、第７の信号が、前記第１のリソースエレメントグループと前記第３のリソースエレメントグループと前記第５のリソースエレメントグループとの中の少なくとも１つのリソースエレメントグループにより占有される周波数ドメインリソースと異なる周波数ドメインリソース内のサブキャリアを占有し、
前記第７の信号は第２のブロードキャストチャネル信号又は第２のシステム情報ブロック信号であり、前記第７の信号により占有される時間ドメインリソースは、前記第１の信号と前記第３の信号と前記第５の信号とのうち少なくとも１つにより占有される時間ドメインリソースより大きいか又は等しい、請求項８に記載の方法。
【請求項１０】
前記第１のリソースエレメントグループと前記第３のリソースエレメントグループと前記第５のリソースエレメントグループとの中の少なくとも２つのリソースエレメントグループが第１のキャリアに位置し、前記第２のリソースエレメントグループと前記第４のリソースエレメントグループと前記第６のリソースエレメントグループとの中の少なくとも２つのリソースエレメントグループが第２のキャリアに位置し、前記第１のキャリア及び前記第２のキャリアは異なる周波数ドメインリソースを占有する、請求項６乃至９のうちいずれか１項に記載の方法。
【請求項１１】
前記第１のリソースエレメントグループは前記第１のキャリアにおける少なくとも１つの周波数ドメインリソース単位を占有し、前記第２のリソースエレメントグループは前記第２のキャリアにおける少なくとも１つの周波数ドメインリソース単位を占有し、前記第１のキャリアにおける前記第１のリソースエレメントグループにより占有される前記周波数ドメインリソース単位の系列番号は、前記第２のキャリアにおける前記第２のリソースエレメントグループにより占有される前記周波数ドメインリソース単位の系列番号と同じであり、
前記第３のリソースエレメントグループは前記第１のキャリアにおける少なくとも１つの周波数ドメインリソース単位を占有し、前記第４のリソースエレメントグループは前記第２のキャリアにおける少なくとも１つの周波数ドメインリソース単位を占有し、前記第１のキャリアにおける前記第３のリソースエレメントグループにより占有される前記周波数ドメインリソース単位の系列番号は、前記第２のキャリアにおける前記第４のリソースエレメントグループにより占有される前記周波数ドメインリソース単位の系列番号と同じであり、
前記第５のリソースエレメントグループは前記第１のキャリアにおける少なくとも１つの周波数ドメインリソース単位を占有し、前記第６のリソースエレメントグループは前記第２のキャリアにおける少なくとも１つの周波数ドメインリソース単位を占有し、前記第１のキャリアにおける前記第５のリソースエレメントグループにより占有される前記周波数ドメインリソース単位の系列番号は、前記第２のキャリアにおける前記第６のリソースエレメントグループにより占有される前記周波数ドメインリソース単位の系列番号と同じであり、
前記周波数ドメインリソース単位はサブキャリアグループである、
請求項９に記載の方法。
【請求項１２】
信号受信方法であって、
端末デバイスにより、ネットワークデバイスにより送信される第１の信号及び第２の信号を受信するステップであり、前記第１の信号により占有されるサブキャリアは第１のリソースエレメントグループ内の連続サブキャリアであり、前記第２の信号により占有されるサブキャリアは第２のリソースエレメントグループ内の連続サブキャリアであり、前記第１の信号により占有されるサブキャリアの数は前記第２の信号により占有されるサブキャリアの数と同じであり、前記第１のリソースエレメントグループ内のサブキャリア間隔は前記第２のリソースエレメントグループ内のサブキャリア間隔と異なる、ステップと、
前記端末デバイスにより、前記第１の信号及び前記第２の信号に対する検出を実行するステップ、又は前記端末デバイスにより、前記第１の信号及び前記第２の信号に対する復調及び検出を実行するステップ、又は前記端末デバイスにより、前記第１の信号及び前記第２の信号に対する復調及びデコードを実行するステップと、
を含む方法。
【請求項１３】
前記第１の信号及び前記第２の信号は同期信号であり、前記連続サブキャリアはゼロ番目のサブキャリアを含まず、前記第１のリソースエレメントグループ及び前記第２のリソースエレメントグループは時間ドメインにおいて同じ数のシンボル又は異なる数のシンボルを占有し、時間ドメインにおいて１つのシンボル又は少なくとも２つの連続シンボルを占有する、請求項１２に記載の方法。
【請求項１４】
前記第１のリソースエレメントグループ内のサブキャリアの系列番号と前記第１の信号の変調シンボル又は系列要素との間の対応関係が、前記第２のリソースエレメントグループ内のサブキャリアの系列番号と前記第２の信号の変調シンボル又は系列要素との間の対応関係と同じである、請求項１２又は１３に記載の方法。
【請求項１５】
当該方法は、
前記端末デバイスにより、前記ネットワークデバイスにより送信される第３の信号及び／又は第４の信号を受信するステップであり、前記第３の信号により占有されるサブキャリアは第３のリソースエレメントグループ内の連続サブキャリアであり、前記第３のリソースエレメントグループ内のサブキャリア間隔は前記第１のリソースエレメントグループ内の前記サブキャリア間隔と同じであり、前記第４の信号により占有されるサブキャリアは第４のリソースエレメントグループ内の連続サブキャリアであり、前記第４のリソースエレメントグループ内のサブキャリア間隔は前記第１のリソースエレメントグループ又は前記第３のリソースエレメントグループのサブキャリア間隔と同じであり、前記第１の信号はプライマリ同期信号であり、前記第３の信号は少なくともセカンダリ同期信号を含み、前記第４の信号はブロードキャストチャネル信号又はシステム情報ブロック信号である、ステップ
をさらに含む請求項１２に記載の方法。
【請求項１６】
送信されるべき第１の信号のサブキャリア位置及び送信されるべき第２の信号のサブキャリア位置を決定するように構成された処理ユニットであり、前記第１の信号により占有されるサブキャリアは第１のリソースエレメントグループ内の連続サブキャリアであり、前記第２の信号により占有されるサブキャリアは第２のリソースエレメントグループ内の連続サブキャリアであり、前記第１の信号により占有される前記サブキャリアの数は前記第２の信号により占有される前記サブキャリアの数と同じであり、前記第１のリソースエレメントグループ内のサブキャリア間隔は前記第２のリソースエレメントグループ内のサブキャリア間隔と異なる、処理ユニットと、
前記第１の信号の前記決定されたサブキャリア位置で前記第１の信号を送信し、前記第２の信号の前記決定されたサブキャリア位置で前記第２の信号を送信するように構成された送信ユニットと、
を含むネットワークデバイス。
【請求項１７】
前記第１の信号及び前記第２の信号は同期信号であり、前記連続サブキャリアはゼロ番目のサブキャリアを含まず、前記第１のリソースエレメントグループ及び前記第２のリソースエレメントグループは時間ドメインにおいて同じ数のシンボル又は異なる数のシンボルを占有し、時間ドメインにおいて１つのシンボル又は少なくとも２つの連続シンボルを占有する、請求項１６に記載のネットワークデバイス。
【請求項１８】
前記第１のリソースエレメントグループ内のサブキャリアの系列番号と前記第１の信号の変調シンボル又は系列要素との間の対応関係が、前記第２のリソースエレメントグループ内のサブキャリアの系列番号と前記第２の信号の変調シンボル又は系列要素との間の対応関係と同じである、請求項１６又は１７に記載のネットワークデバイス。
【請求項１９】
前記処理ユニットは、
送信されるべき第３の信号のサブキャリア位置及び送信されるべき第４の信号のサブキャリア位置を決定し、前記第３の信号により占有されるサブキャリアは第３のリソースエレメントグループ内の連続サブキャリアであり、前記第４の信号により占有されるサブキャリアは第４のリソースエレメントグループ内の連続サブキャリアであり、前記第３の信号により占有される前記サブキャリアの数は前記第４の信号により占有される前記サブキャリアの数と同じであり、前記第３のリソースエレメントグループ内のサブキャリア間隔は前記第１のリソースエレメントグループ内の前記サブキャリア間隔と同じであり、前記第４のリソースエレメントグループ内のサブキャリア間隔は前記第２のリソースエレメントグループ内の前記サブキャリア間隔と同じであり、前記第１の信号及び前記第２の信号はプライマリ同期信号であり、前記第３の信号及び前記第４の信号は少なくともセカンダリ同期信号を含む
ようにさらに構成される、請求項１６乃至１８のうちいずれか１項に記載のネットワークデバイス。
【請求項２０】
前記第３のリソースエレメントグループ内のサブキャリアの系列番号と前記第３の信号の変調シンボル又は系列要素との間の対応関係は、前記第４のリソースエレメントグループ内のサブキャリアの系列番号と前記第４の信号の変調シンボル又は系列要素との間の対応関係と同じである、請求項１９に記載のネットワークデバイス。
【請求項２１】
前記処理ユニットは、
送信されるべき第５の信号のサブキャリア位置及び送信されるべき第６の信号のサブキャリア位置を決定し、前記第５の信号により占有されるサブキャリアは第５のリソースエレメントグループ内の連続サブキャリアであり、前記第６の信号により占有されるサブキャリアは第６のリソースエレメントグループ内の連続サブキャリアであり、前記第５の信号により占有される前記サブキャリアの数は前記第６の信号により占有される前記サブキャリアの数と同じであり、前記第５のリソースエレメントグループ内のサブキャリア間隔は前記第１のリソースエレメントグループ及び／又は前記第３のリソースエレメントグループ内の前記サブキャリア間隔と同じであり、前記第６のリソースエレメントグループ内のサブキャリア間隔は前記第２のリソースエレメントグループ及び／又は前記第４のリソースエレメントグループ内の前記サブキャリア間隔と同じであり、前記第５の信号及び前記第６の信号は第１のブロードキャストチャネル信号又は第１のシステム情報ブロック信号である
ようにさらに構成される、請求項１９に記載のネットワークデバイス。
【請求項２２】
前記第５の信号のデータ信号を搬送し且つ前記第５のリソースエレメントグループ内であるリソースエレメントの位置が、前記第６の信号のデータ信号を搬送し且つ前記第６のリソースエレメントグループ内であるリソースエレメントの位置と同じであり、前記第５の信号のパイロット信号を搬送し且つ前記第５のリソースエレメントグループ内であるリソースエレメントの位置が、前記第６の信号のパイロット信号を搬送し且つ前記第６のリソースエレメントグループ内であるリソースエレメントの位置と同じであり、前記リソースエレメントは単位シンボルにおける周波数ドメインリソースである、請求項２１に記載のネットワークデバイス。
【請求項２３】
前記第１のリソースエレメントグループと前記第３のリソースエレメントグループと前記第５のリソースエレメントグループとの中の少なくとも２つのリソースエレメントグループが同じ時間ドメインリソース上の異なる周波数ドメインリソースを占有し、前記第２のリソースエレメントグループと前記第４のリソースエレメントグループと前記第６のリソースエレメントグループとの中の少なくとも２つのリソースエレメントグループが同じ時間ドメインリソース上の異なる周波数ドメインリソースを占有する、請求項２２に記載のネットワークデバイス。
【請求項２４】
前記第１のリソースエレメントグループと前記第３のリソースエレメントグループと前記第５のリソースエレメントグループとの中の少なくとも１つのリソースエレメントグループにより占有される時間ドメインリソース上で、第７の信号が、前記第１のリソースエレメントグループと前記第３のリソースエレメントグループと前記第５のリソースエレメントグループとの中の少なくとも１つのリソースエレメントグループにより占有される周波数ドメインリソースと異なる周波数ドメインリソース内のサブキャリアを占有し、
前記第７の信号は第２のブロードキャストチャネル信号又は第２のシステム情報ブロック信号であり、前記第７の信号により占有される時間ドメインリソースは、前記第１の信号と前記第３の信号と前記第５の信号とのうち少なくとも１つにより占有される時間ドメインリソースより大きいか又は等しい、請求項２３に記載のネットワークデバイス。
【請求項２５】
前記第１のリソースエレメントグループと前記第３のリソースエレメントグループと前記第５のリソースエレメントグループとの中の少なくとも２つのリソースエレメントグループが第１のキャリアに位置し、前記第２のリソースエレメントグループと前記第４のリソースエレメントグループと前記第６のリソースエレメントグループとの中の少なくとも２つのリソースエレメントグループが第２のキャリアに位置し、前記第１のキャリア及び前記第２のキャリアは異なる周波数ドメインリソースを占有する、請求項２１乃至２４のうちいずれか１項に記載のネットワークデバイス。
【請求項２６】
前記第１のリソースエレメントグループは前記第１のキャリアにおける少なくとも１つの周波数ドメインリソース単位を占有し、前記第２のリソースエレメントグループは前記第２のキャリアにおける少なくとも１つの周波数ドメインリソース単位を占有し、前記第１のキャリアにおける前記第１のリソースエレメントグループにより占有される前記周波数ドメインリソース単位の系列番号は、前記第２のキャリアにおける前記第２のリソースエレメントグループにより占有される前記周波数ドメインリソース単位の系列番号と同じであり、
前記第３のリソースエレメントグループは前記第１のキャリアにおける少なくとも１つの周波数ドメインリソース単位を占有し、前記第４のリソースエレメントグループは前記第２のキャリアにおける少なくとも１つの周波数ドメインリソース単位を占有し、前記第１のキャリアにおける前記第３のリソースエレメントグループにより占有される前記周波数ドメインリソース単位の系列番号は、前記第２のキャリアにおける前記第４のリソースエレメントグループにより占有される前記周波数ドメインリソース単位の系列番号と同じであり、
前記第５のリソースエレメントグループは前記第１のキャリアにおける少なくとも１つの周波数ドメインリソース単位を占有し、前記第６のリソースエレメントグループは前記第２のキャリアにおける少なくとも１つの周波数ドメインリソース単位を占有し、前記第１のキャリアにおける前記第５のリソースエレメントグループにより占有される前記周波数ドメインリソース単位の系列番号は、前記第２のキャリアにおける前記第６のリソースエレメントグループにより占有される前記周波数ドメインリソース単位の系列番号と同じであり、
前記周波数ドメインリソース単位はサブキャリアグループである、
請求項２４に記載のネットワークデバイス。
【請求項２７】
ネットワークデバイスにより送信される第１の信号及び第２の信号を受信するように構成された受信ユニットであり、前記第１の信号により占有されるサブキャリアは第１のリソースエレメントグループ内の連続サブキャリアであり、前記第２の信号により占有されるサブキャリアは第２のリソースエレメントグループ内の連続サブキャリアであり、前記第１の信号により占有されるサブキャリアの数は前記第２の信号により占有されるサブキャリアの数と同じであり、前記第１のリソースエレメントグループ内のサブキャリア間隔は前記第２のリソースエレメントグループ内のサブキャリア間隔と異なる、受信ユニットと、
前記第１の信号及び前記第２の信号に対する検出を実行するように構成された処理ユニット、又は、前記第１の信号及び前記第２の信号に対する復調及び検出を実行するように構成された処理ユニット、又は、前記第１の信号及び前記第２の信号に対する復調及びデコードを実行するように構成された処理ユニットと、
を含む端末デバイス。
【請求項２８】
前記第１の信号及び前記第２の信号は同期信号であり、前記連続サブキャリアはゼロ番目のサブキャリアを含まず、前記第１のリソースエレメントグループ及び前記第２のリソースエレメントグループは時間ドメインにおいて同じ数のシンボル又は異なる数のシンボルを占有し、時間ドメインにおいて１つのシンボル又は少なくとも２つの連続シンボルを占有する、請求項２７に記載の端末デバイス。
【請求項２９】
前記第１のリソースエレメントグループ内のサブキャリアの系列番号と前記第１の信号の変調シンボル又は系列要素との間の対応関係が、前記第２のリソースエレメントグループ内のサブキャリアの系列番号と前記第２の信号の変調シンボル又は系列要素との間の対応関係と同じである、請求項２７又は２８に記載の端末デバイス。
【請求項３０】
前記受信ユニットは、
前記ネットワークデバイスにより送信される第３の信号及び／又は第４の信号を受信し、前記第３の信号により占有されるサブキャリアは第３のリソースエレメントグループ内の連続サブキャリアであり、前記第３のリソースエレメントグループ内のサブキャリア間隔は前記第１のリソースエレメントグループ内の前記サブキャリア間隔と同じであり、前記第４の信号により占有されるサブキャリアは第４のリソースエレメントグループ内の連続サブキャリアであり、前記第４のリソースエレメントグループ内のサブキャリア間隔は前記第１のリソースエレメントグループ又は前記第３のリソースエレメントグループのサブキャリア間隔と同じであり、前記第１の信号はプライマリ同期信号であり、前記第３の信号は少なくともセカンダリ同期信号を含み、前記第４の信号はブロードキャストチャネル信号又はシステム情報である
ようにさらに構成される、請求項２６に記載の端末デバイス。
【請求項３１】
プログラムを記憶する読取可能記憶媒体であって、前記プログラムが実行されたとき、請求項１乃至１５のうちいずれか１項に記載の方法及びステップが実行される、読取可能記憶媒体。
【請求項３２】
プログラム命令に関連したハードウェアを含む信号送信装置であって、前記ハードウェアは請求項１乃至１１のうちいずれか１項に記載の方法及びステップを実行するように構成される、信号送信装置。
【請求項３３】
プログラム命令に関連したハードウェアを含む信号受信装置であって、前記ハードウェアは請求項１２乃至１５のうちいずれか１項に記載の方法及びステップを実行するように構成される、信号受信装置。
【請求項３４】
プロセッサとメモリとを含むネットワークデバイスであって、前記メモリはプログラムを記憶するように構成され、前記プロセッサは前記プログラムを実行するように構成され、前記プログラムが実行されたとき、請求項１乃至１１のうちいずれか１項に記載の方法が実現できる、ネットワークデバイス。
【請求項３５】
プロセッサとメモリとを含む端末であって、前記メモリはプログラムを記憶するように構成され、前記プロセッサは前記プログラムを実行するように構成され、前記プログラムが実行されたとき、請求項１２乃至１５のうちいずれか１項に記載の方法が実現できる、端末。
【発明の詳細な説明】
【技術分野】
【０００１】
この出願は、2016年8月12日に中国特許庁に出願され「SIGNAL  SENDING  METHOD,  NETWORK  DEVICE,  AND  TERMINAL  DEVICE」と題された中国特許出願第201610664562.5号に対する優先権を主張し、該出願はここでその全体を参照により援用される。
【０００２】
［技術分野］
この出願は通信分野に関し、詳細には信号送信方法、ネットワークデバイス、及び端末デバイスに関する。
【背景技術】
【０００３】
従来のデジタル信号伝送は、情報フローがチャネルを通じて一度に伝送されるため、シリアル伝送方式である。マルチキャリア技術はパラレル伝送方式を使用し、シリアル対パラレル変換がシリアルの高速情報フローに対して実行され、次いで複数のパラレルの低速情報フローに分割され、次いで、複数のパラレルの低速情報フローは伝送のために重ねられ、これにより、マルチキャリア伝送システムを形成している。すなわち、マルチキャリア技術は、複数のキャリアを使用することにより高速データ情報を伝送するための技術である。キャリアは、データを搬送し且つ特定の周波数を有する電波である。
【０００４】
マルチキャリア伝送技術は、通信システム、例えば、４Ｇ通信システム及び無線ローカルエリアネットワーク標準８０２．１１シリーズシステムに幅広く適用されている。現在の通信システムにおいて、各システムによりサポートされるサービスは比較的統一されており、各通信システムは１つのタイプのサブキャリア間隔を有する波のみをサポートする。将来の５Ｇ通信システムにおいて、ネットワークデバイスのサービングセルは複数のサブキャリア間隔をサポートする可能性があり、それにより、サービングセルは、異なるサービス及び異なる展開シナリオにおいて異なるサブキャリア間隔を有する異なる信号を使用することにより、異なる要件を有する端末デバイスにサービス提供する可能性がある。
【０００５】
しかしながら、端末デバイスが複数のサブキャリア間隔をサポートするシステムにアクセスできるようにネットワークデバイスにより信号を送信する方法は、解決されるべき差し迫った問題である。
【発明の概要】
【０００６】
本発明の実施例は、端末デバイスが複数のサブキャリア間隔をサポートするシステムにアクセスできるようにネットワークデバイスにより信号を送信する方法の問題を解決するための信号送信方法、ネットワークデバイス、及び端末デバイスを提供する。
【０００７】
第１の態様によれば、信号送信方法が提供され、ネットワークデバイスにより、送信されるべき第１の信号のサブキャリア位置及び送信されるべき第２の信号のサブキャリア位置を決定するステップであり、第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループ内のサブキャリア間隔は第２のリソースエレメントグループ内のサブキャリア間隔と異なる、ステップと、ネットワークデバイスにより、第１の信号の決定されたサブキャリア位置で第１の信号を送信し、第２の信号の決定されたサブキャリア位置で第２の信号を送信するステップと、を含む。ネットワークデバイスは基地局でもよく、端末デバイスはユーザ装置でもよく、第１の信号及び第２の信号は同期信号でもよい。このように、第１の信号及び第２の信号が時間周波数同期又はセルサーチに使用され得るとき、端末デバイスはセルアクセスに使用される関連情報を取得して、異なるサブキャリア間隔を有するセルにアクセスすること又は異なるサブキャリア間隔を有する時間周波数リソースを使用することによりネットワークデバイスと通信することにおいて端末デバイスをサポートし得る。これは、端末デバイスが複数のサブキャリア間隔をサポートするシステムにアクセスできるようにネットワークデバイスにより信号を送信する方法の問題を解決できる。
【０００８】
可能な設計において、第１の信号及び第２の信号は同期信号であり、連続サブキャリアはゼロ番目のサブキャリアを含まず、第１のリソースエレメントグループ及び第２のリソースエレメントグループは時間ドメインにおいて同じ数のシンボル又は異なる数のシンボルを占有し、時間ドメインにおいて１つのシンボル又は少なくとも２つの連続シンボルを占有する。例えば、第１の信号及び第２の信号はプライマリ同期信号であり、第１のリソースエレメントグループ及び第２のリソースエレメントグループが同じ数のシンボル又は異なる数のシンボルを占有するとき、同じ時間ドメインリソースが存在するため、ネットワークデバイスは第１の信号及び第２の信号を同時に送信してもよく、それにより、異なるサブキャリアをサポートする端末デバイスが端末デバイスに適したプライマリ同期信号を受信し得る。
【０００９】
可能な設計において、第１のリソースエレメントグループ内のサブキャリアの系列番号と第１の信号の変調シンボル又は系列要素との間の対応関係が、第２のリソースエレメントグループ内のサブキャリアの系列番号と第２の信号の変調シンボル又は系列要素との間の対応関係と同じである。変調シンボルは変調及びマッピングを通じて取得される複素シンボルであり、複素シンボルはリソースエレメントにマッピングされ、複素シンボルの系列はリソースエレメントに対応するサブキャリアの系列番号に対応する。系列要素が送信されるべき且つ変調されていない系列信号と理解され得るとき、例えば、信号がＺａｄｏｆｆ‐ｃｈｕ系列信号であるとき、系列内の１つの要素が１つのリソースエレメントにマッピングされ、系列とリソースエレメントが位置するサブキャリアの系列番号との間の対応関係は、信号とリソースエレメントとの間のマッピングをより簡素にし得る。
【００１０】
可能な設計において、ネットワークデバイスにより、第１の信号及び第２の信号を送信するステップの前、当該方法は、ネットワークデバイスにより、送信されるべき第３の信号のサブキャリア位置及び送信されるべき第４の信号のサブキャリア位置を決定するステップであり、第３の信号により占有されるサブキャリアは第３のリソースエレメントグループ内の連続サブキャリアであり、第４の信号により占有されるサブキャリアは第４のリソースエレメントグループ内の連続サブキャリアであり、第３の信号により占有されるサブキャリアの数は第４の信号により占有されるサブキャリアの数と同じであり、第３のリソースエレメントグループ内のサブキャリア間隔は第１のリソースエレメントグループ内のサブキャリア間隔と同じであり、第４のリソースエレメントグループ内のサブキャリア間隔は第２のリソースエレメントグループ内のサブキャリア間隔と同じであり、第１の信号及び第２の信号はプライマリ同期信号であり、第３の信号及び第４の信号は少なくともセカンダリ同期信号を含む、ステップをさらに含む。このように、端末デバイスは、プライマリ同期信号を正確且つ迅速に検出し、プライマリ同期信号が既知である前提下でセカンダリ同期信号に対する検出を実行して、プライマリ同期信号及びセカンダリ同期信号に基づいてセルＩＤを取得することができる。さらに、完全な又は部分的なシステムフレーム番号が取得されてもよい。
【００１１】
可能な設計において、第３のリソースエレメントグループ内のサブキャリアの系列番号と第３の信号の変調シンボル又は系列要素との間の対応関係は、第４のリソースエレメントグループ内のサブキャリアの系列番号と第４の信号の変調シンボル又は系列要素との間の対応関係と同じであり、それにより、信号とリソースエレメントとの間のマッピングがより簡素になる。
【００１２】
可能な設計において、ネットワークデバイスが第３の信号及び第４の信号を送信する前、当該方法は、ネットワークデバイスにより、送信されるべき第５の信号のサブキャリア位置及び送信されるべき第６の信号のサブキャリア位置を決定するステップであり、第５の信号により占有されるサブキャリアは第５のリソースエレメントグループ内の連続サブキャリアであり、第６の信号により占有されるサブキャリアは第６のリソースエレメントグループ内の連続サブキャリアであり、第５の信号により占有されるサブキャリアの数は第６の信号により占有されるサブキャリアの数と同じであり、第５のリソースエレメントグループ内のサブキャリア間隔は第１のリソースエレメントグループ及び／又は第３のリソースエレメントグループ内のサブキャリア間隔と同じであり、第６のリソースエレメントグループ内のサブキャリア間隔は第２のリソースエレメントグループ及び／又は第４のリソースエレメントグループ内のサブキャリア間隔と同じであり、第５の信号及び第６の信号は第１のブロードキャストチャネル信号又は第１のシステム情報ブロック信号である、ステップをさらに含む。このように、端末デバイスは、後のアクセスプロセスにより必要とされる必要な情報を取得し、例えば、第１のブロードキャストチャネル信号又は第１のシステム情報ブロック信号は、測定パイロット送信情報、ランダムアクセス信号送信系列、ランダムアクセス信号送信リソース、及びシステム帯域幅のようなパラメータを含む。
【００１３】
可能な設計において、第５の信号のデータ信号を搬送し且つ第５のリソースエレメントグループ内であるリソースエレメントの位置が、第６の信号のデータ信号を搬送し且つ第６のリソースエレメントグループ内であるリソースエレメントの位置と同じであり、第５の信号のパイロット信号を搬送し且つ第５のリソースエレメントグループ内であるリソースエレメントの位置が、第６の信号のパイロット信号を搬送し且つ第６のリソースエレメントグループ内であるリソースエレメントの位置と同じであり、リソースエレメントは単位シンボルにおける周波数ドメインリソースである。
【００１４】
可能な設計において、第１のリソースエレメントグループと第３のリソースエレメントグループと第５のリソースエレメントグループとの中の少なくとも２つのリソースエレメントグループが同じ時間ドメインリソース上の異なる周波数ドメインリソースを占有し、第２のリソースエレメントグループと第４のリソースエレメントグループと第６のリソースエレメントグループとの中の少なくとも２つのリソースエレメントグループが同じ時間ドメインリソース上の異なる周波数ドメインリソースを占有する。これは、第５の信号及び第６の信号が系列信号すなわちデータ信号を含むだけでなく、パイロット信号も含むためであり、それにより、リソースエレメントと信号との間のマッピングがより簡素になる。
【００１５】
可能な設計において、第１のリソースエレメントグループと第３のリソースエレメントグループと第５のリソースエレメントグループとの中の少なくとも１つのリソースエレメントグループにより占有される時間ドメインリソース上で、第７の信号が、第１のリソースエレメントグループと第３のリソースエレメントグループと第５のリソースエレメントグループとの中の少なくとも１つのリソースエレメントグループにより占有される周波数ドメインリソースと異なる周波数ドメインリソース内のサブキャリアを占有する。第７の信号は、第２のブロードキャストチャネル信号又は第２のシステム情報ブロック信号であり、第７の信号により占有される時間ドメインリソースは、第１の信号と第３の信号と第５の信号とのうち少なくとも１つにより占有される時間ドメインリソースより大きいか又は等しい。すなわち、第１の信号と第３の信号と第５の信号と第７の信号とは同じ時間ドメインリソース上の周波数分割信号である。第２のブロードキャストチャネル信号又は第２のシステム情報ブロック信号は他の情報、例えば、ランダムアクセス構成情報を搬送してもよい。
【００１６】
可能な設計において、第１のリソースエレメントグループと第３のリソースエレメントグループと第５のリソースエレメントグループとの中の少なくとも２つのリソースエレメントグループが第１のキャリアに位置してもよく、第２のリソースエレメントグループと第４のリソースエレメントグループと第６のリソースエレメントグループとの中の少なくとも２つのリソースエレメントグループが第２のキャリアに位置してもよく、第１のキャリア及び第２のキャリアは異なる周波数ドメインリソースを占有する。これは、異なるサブキャリアをサポートする端末デバイスが対応するキャリアにおいて必要な信号を受信するのを助ける。
【００１７】
可能な設計において、第１のリソースエレメントグループは第１のキャリアにおける少なくとも１つの周波数ドメインリソース単位を占有し、第２のリソースエレメントグループは第２のキャリアにおける少なくとも１つの周波数ドメインリソース単位を占有し、第１のキャリアにおける第１のリソースエレメントグループにより占有される周波数ドメインリソース単位の系列番号は、第２のキャリアにおける第２のリソースエレメントグループにより占有される周波数ドメインリソース単位の系列番号と同じであり、第３のリソースエレメントグループは第１のキャリアにおける少なくとも１つの周波数ドメインリソース単位を占有し、第４のリソースエレメントグループは第２のキャリアにおける少なくとも１つの周波数ドメインリソース単位を占有し、第１のキャリアにおける第３のリソースエレメントグループにより占有される周波数ドメインリソース単位の系列番号は、第２のキャリアにおける第４のリソースエレメントグループにより占有される周波数ドメインリソース単位の系列番号と同じであり、第５のリソースエレメントグループは第１のキャリアにおける少なくとも１つの周波数ドメインリソース単位を占有し、第６のリソースエレメントグループは第２のキャリアにおける少なくとも１つの周波数ドメインリソース単位を占有し、第１のキャリアにおける第５のリソースエレメントグループにより占有される周波数ドメインリソース単位の系列番号は、第２のキャリアにおける第６のリソースエレメントグループにより占有される周波数ドメインリソース単位の系列番号と同じであり、周波数ドメインリソース単位はサブキャリアグループである。
【００１８】
別の態様によれば、信号送信方法が提供され、端末デバイスにより、ネットワークデバイスにより送信される第１の信号及び第２の信号を受信するステップであり、第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループ内のサブキャリア間隔は第２のリソースエレメントグループ内のサブキャリア間隔と異なる、ステップと、端末デバイスにより、第１の信号及び第２の信号に対する検出を実行するステップ、又は端末デバイスにより、第１の信号及び第２の信号に対する復調及び検出を実行するステップ、又は端末デバイスにより、第１の信号及び第２の信号に対する復調及びデコードを実行するステップと、を含む。
【００１９】
可能な設計において、第１の信号及び第２の信号は同期信号であり、連続サブキャリアはゼロ番目のサブキャリアを含まず、第１のリソースエレメントグループ及び第２のリソースエレメントグループは時間ドメインにおいて同じ数のシンボル又は異なる数のシンボルを占有し、時間ドメインにおいて１つのシンボル又は少なくとも２つの連続シンボルを占有する。
【００２０】
可能な設計において、第１のリソースエレメントグループ内のサブキャリアの系列番号と第１の信号の変調シンボル又は系列要素との間の対応関係が、第２のリソースエレメントグループ内のサブキャリアの系列番号と第２の信号の変調シンボル又は系列要素との間の対応関係と同じである。
【００２１】
可能な設計において、当該方法は、端末デバイスにより、ネットワークデバイスにより送信される第３の信号及び／又は第４の信号を受信するステップであり、第３の信号により占有されるサブキャリアは第３のリソースエレメントグループ内の連続サブキャリアであり、第３のリソースエレメントグループ内のサブキャリア間隔は第１のリソースエレメントグループ内のサブキャリア間隔と同じであり、第４の信号により占有されるサブキャリアは第４のリソースエレメントグループ内の連続サブキャリアであり、第４のリソースエレメントグループ内のサブキャリア間隔は第１のリソースエレメントグループ又は第３のリソースエレメントグループのサブキャリア間隔と同じであり、第１の信号はプライマリ同期信号であり、第３の信号は少なくともセカンダリ同期信号を含み、第４の信号はブロードキャストチャネル信号又はシステム情報ブロック信号である、ステップをさらに含む。
【００２２】
さらに別の態様によれば、ネットワークデバイスが提供され、送信されるべき第１の信号のサブキャリア位置及び送信されるべき第２の信号のサブキャリア位置を決定するように構成された処理ユニットであり、第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループ内のサブキャリア間隔は第２のリソースエレメントグループ内のサブキャリア間隔と異なる、処理ユニットと、第１の信号の決定されたサブキャリア位置で第１の信号を送信し、第２の信号の決定されたサブキャリア位置で第２の信号を送信するように構成された送信ユニットと、を含む。
【００２３】
可能な設計において、第１の信号及び第２の信号は同期信号であり、連続サブキャリアはゼロ番目のサブキャリアを含まず、第１のリソースエレメントグループ及び第２のリソースエレメントグループは時間ドメインにおいて同じ数のシンボル又は異なる数のシンボルを占有し、時間ドメインにおいて１つのシンボル又は少なくとも２つの連続シンボルを占有する。
【００２４】
可能な設計において、第１のリソースエレメントグループ内のサブキャリアの系列番号と第１の信号の変調シンボル又は系列要素との間の対応関係が、第２のリソースエレメントグループ内のサブキャリアの系列番号と第２の信号の変調シンボル又は系列要素との間の対応関係と同じである。
【００２５】
可能な設計において、処理ユニットは、送信されるべき第３の信号のサブキャリア位置及び送信されるべき第４の信号のサブキャリア位置を決定し、第３の信号により占有されるサブキャリアは第３のリソースエレメントグループ内の連続サブキャリアであり、第４の信号により占有されるサブキャリアは第４のリソースエレメントグループ内の連続サブキャリアであり、第３の信号により占有されるサブキャリアの数は第４の信号により占有されるサブキャリアの数と同じであり、第３のリソースエレメントグループ内のサブキャリア間隔は第１のリソースエレメントグループ内のサブキャリア間隔と同じであり、第４のリソースエレメントグループ内のサブキャリア間隔は第２のリソースエレメントグループ内のサブキャリア間隔と同じであり、第１の信号及び第２の信号はプライマリ同期信号であり、第３の信号及び第４の信号は少なくともセカンダリ同期信号を含むようにさらに構成される。
【００２６】
可能な設計において、第３のリソースエレメントグループ内のサブキャリアの系列番号と第３の信号の変調シンボル又は系列要素との間の対応関係は、第４のリソースエレメントグループ内のサブキャリアの系列番号と第４の信号の変調シンボル又は系列要素との間の対応関係と同じである。
【００２７】
可能な設計において、処理ユニットは、送信されるべき第５の信号のサブキャリア位置及び送信されるべき第６の信号のサブキャリア位置を決定し、第５の信号により占有されるサブキャリアは第５のリソースエレメントグループ内の連続サブキャリアであり、第６の信号により占有されるサブキャリアは第６のリソースエレメントグループ内の連続サブキャリアであり、第５の信号により占有されるサブキャリアの数は第６の信号により占有されるサブキャリアの数と同じであり、第５のリソースエレメントグループ内のサブキャリア間隔は第１のリソースエレメントグループ及び／又は第３のリソースエレメントグループ内のサブキャリア間隔と同じであり、第６のリソースエレメントグループ内のサブキャリア間隔は第２のリソースエレメントグループ及び／又は第４のリソースエレメントグループ内のサブキャリア間隔と同じであり、第５の信号及び第６の信号は第１のブロードキャストチャネル信号又は第１のシステム情報ブロック信号であるようにさらに構成される。
【００２８】
可能な設計において、第５の信号のデータ信号を搬送し且つ第５のリソースエレメントグループ内であるリソースエレメントの位置が、第６の信号のデータ信号を搬送し且つ第６のリソースエレメントグループ内であるリソースエレメントの位置と同じであり、第５の信号のパイロット信号を搬送し且つ第５のリソースエレメントグループ内であるリソースエレメントの位置が、第６の信号のパイロット信号を搬送し且つ第６のリソースエレメントグループ内であるリソースエレメントの位置と同じであり、リソースエレメントは単位シンボルにおける周波数ドメインリソースである。
【００２９】
可能な設計において、第１のリソースエレメントグループと第３のリソースエレメントグループと第５のリソースエレメントグループとの中の少なくとも２つのリソースエレメントグループが同じ時間ドメインリソース上の異なる周波数ドメインリソースを占有し、第２のリソースエレメントグループと第４のリソースエレメントグループと第６のリソースエレメントグループとの中の少なくとも２つのリソースエレメントグループが同じ時間ドメインリソース上の異なる周波数ドメインリソースを占有する。
【００３０】
可能な設計において、第１のリソースエレメントグループと第３のリソースエレメントグループと第５のリソースエレメントグループとの中の少なくとも１つのリソースエレメントグループにより占有される時間ドメインリソース上で、第７の信号が、第１のリソースエレメントグループと第３のリソースエレメントグループと第５のリソースエレメントグループとの中の少なくとも１つのリソースエレメントグループにより占有される周波数ドメインリソースと異なる周波数ドメインリソース内のサブキャリアを占有する。第７の信号は第２のブロードキャストチャネル信号又は第２のシステム情報ブロック信号であり、第７の信号により占有される時間ドメインリソースは、第１の信号と第３の信号と第５の信号とのうち少なくとも１つにより占有される時間ドメインリソースより大きいか又は等しい。
【００３１】
可能な設計において、第１のリソースエレメントグループと第３のリソースエレメントグループと第５のリソースエレメントグループとの中の少なくとも２つのリソースエレメントグループが第１のキャリアに位置してもよく、第２のリソースエレメントグループと第４のリソースエレメントグループと第６のリソースエレメントグループとの中の少なくとも２つのリソースエレメントグループが第２のキャリアに位置してもよく、第１のキャリア及び第２のキャリアは異なる周波数ドメインリソースを占有する。
【００３２】
可能な設計において、第１のリソースエレメントグループは第１のキャリアにおける少なくとも１つの周波数ドメインリソース単位を占有し、第２のリソースエレメントグループは第２のキャリアにおける少なくとも１つの周波数ドメインリソース単位を占有し、第１のキャリアにおける第１のリソースエレメントグループにより占有される周波数ドメインリソース単位の系列番号は、第２のキャリアにおける第２のリソースエレメントグループにより占有される周波数ドメインリソース単位の系列番号と同じであり、第３のリソースエレメントグループは第１のキャリアにおける少なくとも１つの周波数ドメインリソース単位を占有し、第４のリソースエレメントグループは第２のキャリアにおける少なくとも１つの周波数ドメインリソース単位を占有し、第１のキャリアにおける第３のリソースエレメントグループにより占有される周波数ドメインリソース単位の系列番号は、第２のキャリアにおける第４のリソースエレメントグループにより占有される周波数ドメインリソース単位の系列番号と同じであり、第５のリソースエレメントグループは第１のキャリアにおける少なくとも１つの周波数ドメインリソース単位を占有し、第６のリソースエレメントグループは第２のキャリアにおける少なくとも１つの周波数ドメインリソース単位を占有し、第１のキャリアにおける第５のリソースエレメントグループにより占有される周波数ドメインリソース単位の系列番号は、第２のキャリアにおける第６のリソースエレメントグループにより占有される周波数ドメインリソース単位の系列番号と同じであり、周波数ドメインリソース単位はサブキャリアグループである。
【００３３】
さらに別の態様によれば、端末デバイスが提供され、ネットワークデバイスにより送信される第１の信号及び第２の信号を受信するように構成された受信ユニットであり、第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループ内のサブキャリア間隔は第２のリソースエレメントグループ内のサブキャリア間隔と異なる、受信ユニットと、第１の信号及び第２の信号に対する検出を実行するように構成された処理ユニット、又は、第１の信号及び第２の信号に対する復調及び検出を実行するように構成された処理ユニット、又は、第１の信号及び第２の信号に対する復調及びデコードを実行するように構成された処理ユニットと、を含む。
【００３４】
可能な設計において、第１の信号及び第２の信号は同期信号であり、連続サブキャリアはゼロ番目のサブキャリアを含まず、第１のリソースエレメントグループ及び第２のリソースエレメントグループは時間ドメインにおいて同じ数のシンボル又は異なる数のシンボルを占有し、時間ドメインにおいて１つのシンボル又は少なくとも２つの連続シンボルを占有する。
【００３５】
可能な設計において、第１のリソースエレメントグループ内のサブキャリアの系列番号と第１の信号の変調シンボル又は系列要素との間の対応関係が、第２のリソースエレメントグループ内のサブキャリアの系列番号と第２の信号の変調シンボル又は系列要素との間の対応関係と同じである。
【００３６】
可能な設計において、受信ユニットは、ネットワークデバイスにより送信される第３の信号及び／又は第４の信号を受信し、第３の信号により占有されるサブキャリアは第３のリソースエレメントグループ内の連続サブキャリアであり、第３のリソースエレメントグループ内のサブキャリア間隔は第１のリソースエレメントグループ内のサブキャリア間隔と同じであり、第４の信号により占有されるサブキャリアは第４のリソースエレメントグループ内の連続サブキャリアであり、第４のリソースエレメントグループ内のサブキャリア間隔は第１のリソースエレメントグループ又は第３のリソースエレメントグループのサブキャリア間隔と同じであり、第１の信号はプライマリ同期信号であり、第３の信号は少なくともセカンダリ同期信号を含み、第４の信号はブロードキャストチャネル信号又はシステム情報ブロック信号であるようにさらに構成される。
【００３７】
さらに別の態様によれば、本発明の実施例は、前述のネットワークデバイスにより使用されるコンピュータソフトウェア命令を記憶するように構成されたコンピュータ記憶媒体を提供し、コンピュータ記憶媒体は、前述の４つの態様を実行するために使用されるプログラムを含む。
【００３８】
さらに別の態様によれば、本発明の実施例は、前述の端末デバイスにより使用されるコンピュータソフトウェア命令を記憶するように構成されたコンピュータ記憶媒体を提供し、コンピュータ記憶媒体は、前述の４つの態様を実行するために使用されるプログラムを含む。
【００３９】
本発明の実施例は、信号送信方法、ネットワークデバイス、及び端末デバイスを提供する。ネットワークデバイスは、送信されるべき第１の信号のサブキャリア位置及び送信されるべき第２の信号のサブキャリア位置を決定する。第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループのサブキャリア間隔は第２のリソースエレメントグループのサブキャリア間隔と異なる。ネットワークデバイスは、第１の信号の決定されたサブキャリア位置で第１の信号を送信し、第２の信号の決定されたサブキャリア位置で第２の信号を送信する。このように、第１の信号及び第２の信号が時間周波数同期及びセルサーチに使用され得るとき、端末デバイスはセルアクセスに使用される関連情報を取得して、異なるサブキャリア間隔を有するセルにアクセスすること又は異なるサブキャリア間隔を有する時間周波数リソースを使用することによりネットワークデバイスと通信することにおいて端末デバイスをサポートし得る。これは、端末デバイスが複数のサブキャリア間隔をサポートするシステムにアクセスできるようにネットワークデバイスにより信号を送信する方法の問題を解決できる。
【図面の簡単な説明】
【００４０】
【図１】本発明の実施例によるネットワークアーキテクチャの概略図である。
【図２】本発明の実施例による端末デバイスの概略構成図である。
【図３Ａ】本発明の実施例による信号送信方法の概略フローチャートである。
【図３Ｂ】本発明の実施例による信号送信方法の概略フローチャートである。
【図４】本発明の実施例による異なるサブキャリア間隔を有する時間周波数リソースの概略図である。
【図５】本発明の実施例による第１の信号及び第２の信号を送信するために使用され且つ異なるサブキャリア間隔を有する時間周波数リソースの概略図である。
【図６】本発明の実施例によるネットワークデバイスの概略構成図である。
【図７】本発明の実施例によるネットワークデバイスの概略構成図である。
【図８】本発明の実施例によるネットワークデバイスの概略構成図である。
【図９】本発明の実施例による端末デバイスの概略構成図である。
【図１０】本発明の実施例による端末デバイスの概略構成図である。
【図１１】本発明の実施例による端末デバイスの概略構成図である。
【発明を実施するための形態】
【００４１】
本発明の実施例は無線通信システムに適用されてもよく、例えば５Ｇ通信システムに適用可能であり、具体的に、端末デバイスが５Ｇ通信システムにおいてネットワーク側にアクセスする適用シナリオに適用可能である。５Ｇ通信システムは、異なるサービス、異なる展開シナリオ、及び異なるスペクトルをサポートし得る。サービスは、例えば、エンハンストモバイルブロードバンド（enhanced  Mobile  Broadband、ｅＭＢＢ）サービス、マシンタイプ通信（Machine  Type  Communication、ＭＴＣ）サービス、超高信頼性及び低遅延通信（Ultra-reliable  and  low  latency  communications、ＵＲＬＬＣ）サービス、マルチメディアブロードキャストマルチキャストサービス（Multimedia  Broadcast  Multicast  Service、ＭＢＭＳ）、又は測位サービスでもよい。展開シナリオは、例えば、屋内ホットスポットシナリオ、密集都市部シナリオ、郊外シナリオ、都市部マクロカバレッジシナリオ、又は高速鉄道シナリオでもよい。スペクトルは、例えば、１００ＧＨｚの範囲内の任意の周波数レンジでもよい。
【００４２】
本発明の実施例はネットワークアーキテクチャを提供する。図１に示されるように、ネットワークアーキテクチャはネットワークデバイス及び端末デバイスを含む。例えば、ネットワークデバイスは基地局でもよく、端末デバイスはユーザ装置（User  Equipment、ＵＥ）でもよい。
【００４３】
本発明のこの実施例において、ネットワークデバイスが基地局である例が使用される。基地局は、無線アクセスネットワークに展開され且つ無線通信機能を提供するように構成される装置である。５Ｇ通信システムにおいて、ネットワークデバイス機能を提供するデバイスは、進化型ネットワークデバイス（evolved  Node  B、ｅＮＢ）、ニューラジオノードＢ（New  Radio  NodeB、ｇＮＢ）、集中ユニット（Centralized  Unit、ＣＵ）、分散ユニット（Distributed  Unit）、ニューラジオコントローラなどを含む。
【００４４】
本発明のこの実施例において、端末デバイスは以下のうち任意の１つでもよく、端末デバイスは静的でもモバイルでもよい。端末デバイスは、これらに限られないが局（Station）、モバイル局（Mobile  Station）、加入者ユニット（Subscriber  Unit）、パーソナルコンピュータ（Personal  Computer）、ラップトップコンピュータ（Laptop  Computer）、タブレットコンピュータ（Tablet  Computer）、ネットブック（Netbook）、端末（Terminal）、セルラーフォン（Cellular  Phone）、ハンドヘルド（Handheld）デバイス、コードレスフォン（Cordless  Phone）、パーソナルデジタルアシスタント（Personal  Digital  Assistant、ＰＤＡ）、データカード（Data  Card）、ユニバーサルシリアルバス（Universal  Serial  Bus、ＵＳＢ）挿入デバイス、モバイルＷｉ‐Ｆｉホットスポットデバイス（MiFi  Device）、スマートウォッチ、スマートグラス、無線モデム（Modem）、無線ルータ、無線ローカルループ（Wireless  Local  Loop、ＷＬＬ）局などを含んでもよい。
【００４５】
端末デバイスがモバイルフォンである例が使用される。図２は、本発明の実施例に関連したモバイルフォンの部分的構成のブロック図である。図２を参照すれば、モバイルフォンは、無線周波数（Radio  Frequency、ＲＦ）回路２１０、電源２２０、プロセッサ２３０、メモリ２４０、入力ユニット２５０、ディスプレイユニット２６０、センサ２７０、及びオーディオ回路２８０のようなコンポーネントを含む。当業者は、図２に示されるモバイルフォンの構成がモバイルフォンに対する限定を構成せず、モバイルフォンは図に示されるものよりもより多い又は少ないコンポーネントを含み、或いはいくつかのコンポーネントを組み合わせ、或いは異なるコンポーネント配置を有してもよいことを理解し得る。
【００４６】
本発明の実施例は、５Ｇ通信システムに適用される信号送信方法、ネットワークデバイス、及び端末デバイスを提供する。ネットワークデバイスが第１の信号及び第２の信号を送信するとき、第１の信号は第１のリソースエレメントグループにマッピングされ、第２の信号は第２のリソースエレメントグループにマッピングされ、第１の信号は第１のリソースエレメントグループ内の連続サブキャリアを占有し、第２の信号は第２のリソースエレメントグループ内の連続サブキャリアを占有し、第１のリソースエレメントグループ及び第２のリソースエレメントグループ内のサブキャリア間隔は異なり、それにより、５Ｇ通信システムは、ネットワークデバイスにより送信され且つ異なるサブキャリア間隔を有する信号を受信することにおいて端末デバイスをサポートし、端末デバイスが複数のサブキャリア間隔をサポートするシステムにアクセスできるようにし得る。
【００４７】
本発明の実施例は信号送信方法を提供する。図３Ａ及び図３Ｂに示されるように、当該方法は以下のステップを含む。
【００４８】
３０１．ネットワークデバイスが、送信されるべき第１の信号のサブキャリア位置及び送信されるべき第２の信号のサブキャリア位置を決定し、第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループ内のサブキャリア間隔は第２のリソースエレメントグループ内のサブキャリア間隔と異なり、第１の信号及び第２の信号はプライマリ同期信号である。
【００４９】
具体的に、チャネルリソースが時間ドメイン及び周波数ドメインに基づいて前もって分割され得る。図４に示されるように、例えば、チャネルリソースは第１のリソース及び第２のリソースを含み、第１のリソースは少なくとも１つのリソースエレメントグループを含み、第２のリソースは少なくとも１つのリソースエレメントグループを含む。各リソースエレメントグループは複数のリソースエレメントを含む。リソースエレメントが時間ドメインにおいてシンボル長に基づいて分割され、周波数ドメインにおいてサブキャリアに基づいて分割される場合、リソースエレメントはシンボル長の単位における周波数ドメインリソースと理解されてもよい。ネットワークデバイスが信号を送信する必要があるとき、信号は送信のためにリソースエレメントグループにマッピングされ得る。
【００５０】
例えば、ネットワークデバイスが信号を送信する必要があるとき、ネットワークデバイスは、送信されるべき信号とネットワークデバイスによりサポートされる端末デバイスのタイプとに基づいて、信号を送信するためのリソースエレメントグループ、すなわち、信号を送信するために使用されるリソースの具体的なサブキャリア間隔を決定してもよい。例えば、送信されるべき信号は同期信号であり、ネットワークデバイスによりサポートされる端末デバイスのタイプは第１のサブキャリア間隔及び第２のサブキャリア間隔をサポートし、第１のサブキャリア間隔は第２のサブキャリア間隔と異なる。ネットワークデバイスは、送信されるべき信号中の第１の信号の要素を、第１のリソース内で占有されていない第１のリソースエレメントグループにマッピングし、送信されるべき信号中の第２の信号の要素を、第２のリソース内で占有されていない第２のリソースエレメントグループにマッピングしてもよい。第１の信号が第１のリソースエレメントグループ上のＮ個のサブキャリアを占有し、第２の信号が第２のリソースエレメントグループ上のＮ個のサブキャリアを占有する場合、図５は、時間ドメイン及び周波数ドメインにおける第１の信号及び第２の信号のリソース占有の概略図である。第１の信号及び第２の信号の要素は変調されていない系列信号でもよく、或いは変調シンボル信号の要素でもよい。第１のリソースエレメントグループ内のサブキャリア間隔は第１のサブキャリア間隔であり、第２のリソースエレメント内のサブキャリア間隔は第２のサブキャリア間隔であり、すなわち、第１のリソースエレメントグループ内のサブキャリア間隔は第２のリソースエレメントグループ内のサブキャリア間隔と異なる。第１のリソースエレメントグループ内で第１の信号により占有されるサブキャリアは連続サブキャリアであり、第２のリソースエレメントグループ内で第２の信号により占有されるサブキャリアもまた連続サブキャリアである。第１のリソースエレメントグループ又は第２のリソースエレメントグループがゼロ番目（zeroth）のサブキャリアを含む場合、連続サブキャリアはゼロ番目のサブキャリアを含まない。第１の信号及び第２の信号の双方が同期信号であるため、第１の信号により占有されるサブキャリアの数は第２の信号により占有されるサブキャリアの数と同じである。
【００５１】
図５に示されるように、サブキャリア間隔が比較的小さいとき、時間ドメインシンボル長は比較的長く、反対に、サブキャリア間隔が比較的大きいとき、時間ドメインシンボル長は比較的短い。後者は、信号が端末デバイスにより迅速に到達することを可能にし得る。ゆえに、第１のリソースエレメントグループ及び第２のリソースエレメントグループは、時間ドメインにおいて同じ数のシンボル又は異なる数のシンボルを占有し、時間ドメインにおいて１つのシンボル又は少なくとも２つの連続シンボルを占有してもよい。
【００５２】
任意選択で、ネットワークデバイスは、信号を送信するために特定のサブキャリア間隔を有するリソースエレメントグループを決定する。サブキャリア間隔に対応する同期信号が、端末デバイスと、異なるサブキャリア間隔を有するリソースとの間の同期に必要とされる。ゆえに、ネットワークデバイスは、各サブキャリア間隔に対応するリソース上で、対応するサブキャリア間隔を有する少なくとも１つの同期信号を送信する。
【００５３】
さらに、第１のリソースエレメントグループにおける第１の信号のマッピング方法が、第２のリソースエレメントグループにおける第２の信号のマッピング方法と同じでもよい。例えば、第１のリソースエレメントグループ内のサブキャリアの系列番号（sequence  number）と第１の信号の変調シンボル又は系列要素との間の対応関係は、第２のリソースエレメントグループ内のサブキャリアの系列番号と第２の信号の変調シンボル又は系列要素との間の対応関係と同じである。変調シンボルは変調及びマッピングを通じて取得される複素シンボルであり、複素シンボルはリソースエレメントにマッピングされ、複素シンボルの系列はリソースエレメントに対応するサブキャリアの系列番号に対応する。系列要素が送信されるべき且つ変調されていない系列信号と理解され得るとき、例えば、信号がＺａｄｏｆｆ‐ｃｈｕ系列信号であるとき、系列内の１つの要素が１つのリソースエレメントにマッピングされ、系列は、リソースエレメントが位置するサブキャリアの系列番号に対応する。第１のリソースエレメントグループにおける第１の信号のマッピング方法が第２のリソースエレメントグループにおける第２の信号のマッピング方法と同じであるとき、第１の信号及び第２の信号とリソースエレメントとの間のマッピングの実現方式はより簡素であり得る。
【００５４】
３０２．ネットワークデバイスが、送信されるべき第３の信号のサブキャリア位置及び送信されるべき第４の信号のサブキャリア位置を決定し、第３の信号により占有されるサブキャリアは第３のリソースエレメントグループ内の連続サブキャリアであり、第４の信号により占有されるサブキャリアは第４のリソースエレメントグループ内の連続サブキャリアであり、第３の信号により占有されるサブキャリアの数は第４の信号により占有されるサブキャリアの数と同じであり、第３のリソースエレメントグループ内のサブキャリア間隔は第１のリソースエレメントグループ内のサブキャリア間隔と同じであり、第４のリソースエレメントグループ内のサブキャリア間隔は第２のリソースエレメントグループ内のサブキャリア間隔と同じであり、第３の信号及び第４の信号は少なくともセカンダリ同期信号を含む。
【００５５】
ネットワークデバイスが基地局であることが例として使用される。第１の信号及び第２の信号がプライマリ同期信号（Primary  Synchronization  Signal、ＰＳＳ）であるとき、基地局は少なくともセカンダリ同期信号（Secondary  Synchronization  Signal、ＳＳＳ）をさらに送信する必要があり、それにより、端末デバイスは、プライマリ同期信号を正確且つ迅速に検出し、プライマリ同期信号が既知であるという前提下でセカンダリ同期信号に対して検出を実行し、それにより、プライマリ同期信号に基づいて基地局との時間周波数同期を完了させ、プライマリ同期信号及び／又はセカンダリ同期信号に基づいてセルＩＤを取得することができる。さらに、完全な又は部分的なシステムフレーム番号が取得されてもよい。ゆえに、第１の信号及び第２の信号のサブキャリア位置が決定されたとき、少なくともセカンダリ同期信号である第３の信号及び第４の信号のサブキャリア位置がさらに決定される必要がある。例において、基地局が第３のタイプの同期信号をさらに送信してもよい。第３のタイプの同期信号は、サブフレーム又はシンボル系列番号を位置特定するために使用され、或いはローブ（lobe）系列番号を位置特定するために使用されてもよい。
【００５６】
ステップ３０１と同様に、第３の信号により占有されるサブキャリアは第３のリソースエレメントグループ内の連続サブキャリアでもよく、第４の信号により占有されるサブキャリアは第４のリソースエレメントグループ内の連続サブキャリアでもよく、連続サブキャリアはゼロ番目のサブキャリアを含まない。第３の信号及び第４の信号は少なくともセカンダリ同期信号であり、第３の信号により占有されるサブキャリアの数は第４の信号により占有されるサブキャリアの数と同じである。第１の信号及び第３の信号の双方が同じタイプの端末デバイスに特有である場合、第３のリソースエレメントグループ内のサブキャリア間隔は第１のリソースエレメントグループ内のサブキャリア間隔と同じである。第２の信号及び第４の信号の双方が同じタイプの端末デバイスに特有である場合、第２のリソースエレメントグループ内のサブキャリア間隔は第４のリソースエレメントグループ内のサブキャリア間隔と同じである。ゆえに、第３のリソースエレメントグループ内のサブキャリア間隔は第４のリソースエレメントグループ内のサブキャリア間隔と異なる。端末デバイスについて、受信したプライマリ同期信号と少なくともセカンダリ同期信号を含む信号とは連続的に第１の信号及び第３の信号であり、或いは、受信したプライマリ同期信号と少なくともセカンダリ同期信号を含む信号とは連続的に第２の信号及び第４の信号である。
【００５７】
ステップ３０１と同様に、第３のリソースエレメントグループ及び第４のリソースエレメントグループは、時間ドメインにおいて同じ数のシンボル又は異なる数のシンボルを占有し、時間ドメインにおいて１つのシンボル又は少なくとも２つの連続シンボルを占有してもよい。対応して、第３のリソースエレメントグループ内のサブキャリアの系列番号と第３の信号の変調シンボル又は系列要素との間の対応関係は、第４のリソースエレメントグループ内のサブキャリアの系列番号と第４の信号の変調シンボル又は系列要素との間の対応関係と同じである。
【００５８】
３０３．ネットワークデバイスが、送信されるべき第５の信号のサブキャリア位置及び送信されるべき第６の信号のサブキャリア位置を決定し、第５の信号により占有されるサブキャリアは第５のリソースエレメントグループ内の連続サブキャリアであり、第６の信号により占有されるサブキャリアは第６のリソースエレメントグループ内の連続サブキャリアであり、第５の信号により占有されるサブキャリアの数は第６の信号により占有されるサブキャリアの数と同じであり、第５のリソースエレメントグループ内のサブキャリア間隔は第１のリソースエレメントグループ及び／又は第３のリソースエレメントグループ内のサブキャリア間隔と同じであり、第６のリソースエレメントグループ内のサブキャリア間隔は第２のリソースエレメントグループ及び／又は第４のリソースエレメントグループ内のサブキャリア間隔と同じであり、第５の信号及び第６の信号は第１のブロードキャストチャネル信号又は第１のシステム情報ブロック（System  Information  Block、ＳＩＢ）信号である。
【００５９】
ネットワークデバイスが基地局であることが例として使用される。端末デバイスがセルにアクセスする前、端末デバイスがセルサーチを実行できるように基地局がプライマリ同期信号及びセカンダリ同期信号を送信するとき、基地局は、端末デバイスが後のアクセスプロセスにより必要とされる必要な情報を取得できるように、第１のブロードキャストチャネル信号又は第１のシステム情報ブロック信号をさらに送信する必要がある。例えば、第１のブロードキャストチャネル信号又は第１のシステム情報ブロック信号は、測定パイロット送信情報及びランダムアクセス構成情報を含む。ゆえに、基地局は、異なるサブキャリア間隔を占有する第５の信号及び第６の信号をさらに送信する必要がある。第５の信号及び第６の信号は、第１のブロードキャストチャネル信号又は第１のシステム情報ブロック信号である。第５の信号により占有されるサブキャリア間隔と第１の信号及び第３の信号により占有されるサブキャリア間隔とが同じタイプの端末デバイスに対応する場合、第５の信号により占有されるサブキャリアが第５のリソースエレメントグループ内の連続サブキャリアであるとき、第５のリソースエレメントグループのサブキャリア間隔は第１のリソースエレメントグループ及び第３のリソースエレメントグループのサブキャリア間隔と同じである。第６の信号により占有されるサブキャリア間隔と第２の信号及び第４の信号により占有されるサブキャリア間隔とが別の同じタイプの端末デバイスに対応する場合、第６の信号により占有されるサブキャリアが第６のリソースエレメントグループ内の連続サブキャリアであるとき、第６のリソースエレメントグループのサブキャリア間隔は第２のリソースエレメントグループ及び第４のリソースエレメントグループのサブキャリア間隔と同じであり、すなわち、第５のリソースエレメントグループのサブキャリア間隔は第６のリソースエレメントグループのサブキャリア間隔と異なる。
【００６０】
ステップ３０１及びステップ３０２と同様に、第５のリソースエレメントグループ及び第６のリソースエレメントグループは、時間ドメインにおいて同じ数のシンボル又は異なる数のシンボルを占有し、時間ドメインにおいて１つのシンボル又は少なくとも２つの連続シンボルを占有してもよい。実現方式の容易さのため、第５の信号及び第６の信号が第１のブロードキャストチャネル信号又は第１のシステム情報ブロック信号であるとき、第５の信号及び第６の信号が系列信号すなわちデータ信号を含むだけでなく、パイロット信号も含むため、第５の信号のデータ信号を搬送し且つ第５のリソースエレメントグループ内であるリソースエレメントの位置は、第６の信号のデータ信号を搬送し且つ第６のリソースエレメントグループ内であるリソースエレメントの位置と同じであり、第５の信号のパイロット信号を搬送し且つ第５のリソースエレメントグループ内であるリソースエレメントの位置は、第６の信号のパイロット信号を搬送し且つ第６のリソースエレメントグループ内であるリソースエレメントの位置と同じである。
【００６１】
任意選択で、第１のリソースエレメントグループと第３のリソースエレメントグループと第５のリソースエレメントグループとの中の少なくとも２つのリソースエレメントグループが同じ時間ドメインリソース上の異なる周波数ドメインリソースを占有し、第２のリソースエレメントグループと第４のリソースエレメントグループと第６のリソースエレメントグループとの中の少なくとも２つのリソースエレメントグループが同じ時間ドメインリソース上の異なる周波数ドメインリソースを占有する。すなわち、第１の信号と第３の信号と第５の信号との中の少なくとも２つの信号が同時に送信され、第２の信号と第４の信号と第６の信号との中の少なくとも２つの信号が同時に送信される。
【００６２】
任意選択で、可能な実現方式において、基地局が第５の信号を使用することにより第１のブロードキャストチャネル信号又は第１のシステム情報ブロック信号を送信するとき、第２のブロードキャストチャネル信号又は第２のシステム情報ブロック信号が同時に送信されてもよい。例えば、第１のブロードキャストチャネル信号又は第１のシステム情報ブロック信号は、セル及び／又はローブ測定パイロット情報のような関連情報を搬送し、第２のブロードキャストチャネル信号又は第２のシステム情報ブロック信号は、他の情報、例えば、ランダムアクセス構成情報を搬送する。ゆえに、基地局が第１の信号、第３の信号、及び第５の信号を送信するとき、基地局は第７の信号をさらに送信する必要がある。第７の信号は第２のブロードキャストチャネル信号又は第２のシステム情報ブロック信号であり、第７の信号により占有される時間ドメインリソースは、第１の信号と第３の信号と第５の信号とのうち少なくとも１つにより占有される時間ドメインリソースより大きいか又は等しい。第１のリソースエレメントグループと第３のリソースエレメントグループと第５のリソースエレメントグループとの中の少なくとも１つのリソースエレメントグループにより占有される時間ドメインリソース上で、第７の信号は、第１のリソースエレメントグループと第３のリソースエレメントグループと第５のリソースエレメントグループとの中の少なくとも１つのリソースエレメントグループにより占有される周波数ドメインリソースと異なる周波数ドメインリソース内のサブキャリアを占有する。換言すると、第７の信号は、第１のサブキャリア間隔の周波数ドメインリソースの残りの周波数ドメインリソース内のサブキャリアを占有する。
【００６３】
任意選択で、単位としてキャリアを使用し、１つのキャリアは複数のサブキャリアを含み、第１のリソースエレメントグループと第３のリソースエレメントグループと第５のリソースエレメントグループとの中の少なくとも２つのリソースエレメントグループは第１のキャリアに位置してもよく、第２のリソースエレメントグループと第４のリソースエレメントグループと第６のリソースエレメントグループとの中の少なくとも２つのリソースエレメントグループは第２のキャリアに位置してもよく、第１のキャリアと第２のキャリアとは異なる周波数ドメインリソースを占有する。すなわち、各キャリアは複数のリソースエレメントグループを含む。
【００６４】
任意選択で、各キャリアが複数の周波数ドメインリソース単位を含む場合、各周波数ドメインリソース単位はサブキャリアグループであり、１つのサブキャリアグループは少なくとも２つのサブキャリアを含む。第１のリソースエレメントグループは第１のキャリアにおける少なくとも１つの周波数ドメインリソース単位を占有してもよく、第２のリソースエレメントグループは第２のキャリアにおける少なくとも１つの周波数ドメインリソース単位を占有してもよく、第１のキャリアにおいて第１のリソースエレメントグループにより占有される周波数ドメインリソース単位の系列番号は、第２のキャリアにおいて第２のリソースエレメントグループにより占有される周波数ドメインリソース単位の系列番号と同じである。同様に、第３のリソースエレメントグループは第１のキャリアにおける少なくとも１つの周波数ドメインリソース単位を占有してもよく、第４のリソースエレメントグループは第２のキャリアにおける少なくとも１つの周波数ドメインリソース単位を占有してもよく、第１のキャリアにおいて第３のリソースエレメントグループにより占有される周波数ドメインリソース単位の系列番号は、第２のキャリアにおいて第４のリソースエレメントグループにより占有される周波数ドメインリソース単位の系列番号と同じである。第５のリソースエレメントグループは第１のキャリアにおける少なくとも１つの周波数ドメインリソース単位を占有してもよく、第６のリソースエレメントグループは第２のキャリアにおける少なくとも１つの周波数ドメインリソース単位を占有してもよく、第１のキャリアにおいて第５のリソースエレメントグループにより占有される周波数ドメインリソース単位の系列番号は、第２のキャリアにおいて第６のリソースエレメントグループにより占有される周波数ドメインリソース単位の系列番号と同じである。
【００６５】
任意選択で、第１のリソースエレメントグループに含まれるサブキャリアの数及び第２のリソースエレメントグループに含まれるサブキャリアの数は双方、７２、４８、９６、又は別の値でもよく、これはこの出願で限定されない。同様に、第３のリソースエレメントグループに含まれるサブキャリアの数及び第４のリソースエレメントグループに含まれるサブキャリアの数は双方、７２、４８、９６、又は別の値でもよく、これはこの出願で限定されない。同様に、第５のリソースエレメントグループに含まれるサブキャリアの数及び第６のリソースエレメントグループに含まれるサブキャリアの数は双方、７２、１４４、２８８、又は別の値でもよく、これはこの出願で限定されない。
【００６６】
第１のリソースエレメントグループ内であり且つ第１の信号により占有されるサブキャリアの数は、第１のリソースエレメントグループ内のサブキャリアの総数より小さいか又は等しく、第２のリソースエレメントグループ内であり且つ第２の信号により占有されるサブキャリアの数は、第２のリソースエレメントグループ内のサブキャリアの総数より小さいか又は等しい。同様に、第３のリソースエレメントグループ内であり且つ第３の信号により占有されるサブキャリアの数は、第３のリソースエレメントグループ内のサブキャリアの総数より小さいか又は等しく、第４のリソースエレメントグループ内であり且つ第４の信号により占有されるサブキャリアの数は、第４のリソースエレメントグループ内のサブキャリアの総数より小さいか又は等しい。第５のリソースエレメントグループ内であり且つ第５の信号により占有されるサブキャリアの数は、第５のリソースエレメントグループ内のサブキャリアの総数より小さいか又は等しく、第６のリソースエレメントグループ内であり且つ第６の信号により占有されるサブキャリアの数は、第６のリソースエレメントグループ内のサブキャリアの総数より小さいか又は等しい。
【００６７】
３０４．ネットワークデバイスが、第１の信号の決定されたサブキャリア位置で第１の信号を送信し、第２の信号の決定されたサブキャリア位置で第２の信号を送信し、第３の信号の決定されたサブキャリア位置で第３の信号を送信し、第４の信号の決定されたサブキャリア位置で第４の信号を送信し、第５の信号の決定されたサブキャリア位置で第５の信号を送信し、第６の信号の決定されたサブキャリア位置で第６の信号を送信する。
【００６８】
３０５．端末デバイスが、第１の信号及び／又は第３の信号に基づいて同期又はセルサーチを実行し、復調及びデコードのために第５の信号を受信し、或いは、端末デバイスが、第２の信号及び／又は第４の信号に基づいて同期又はセルサーチを実行し、復調及びデコードのために第６の信号を受信する。
【００６９】
可能な設計において、第１の信号、第３の信号、及び第５の信号のサブキャリア間隔が同じであり、第２の信号、第４の信号、及び第６の信号のサブキャリア間隔が同じであり、第１の信号及び第２の信号のサブキャリア間隔が異なり、第１の信号及び第２の信号が双方、プライマリ同期信号であり、第３の信号及び第４の信号が少なくともセカンダリ同期信号を含み、第５の信号及び第６の信号が第１のブロードキャストチャネル信号又は第１のシステム情報ブロック信号を少なくとも含むため、端末デバイスが第１の信号のサブキャリア間隔をサポートする場合、端末デバイスは第１の信号、第３の信号、及び第５の信号を受信してもよく、或いは端末デバイスが第２の信号のサブキャリア間隔をサポートする場合、端末デバイスは第２の信号、第４の信号、及び第６の信号を受信してもよい。
【００７０】
端末デバイスが第１の信号、第３の信号、及び第５の信号を受信することが例として使用される。第１の信号がプライマリ同期信号であり、第３の信号がセカンダリ同期信号であり、第５の信号が第１のブロードキャストチャネル信号又は第１のシステム情報ブロック信号であり、プライマリ同期信号及び／又はセカンダリ同期信号が変調されていない系列であり、第５の信号が符号化され且つ変調された信号である場合、端末デバイスは、第１の信号及び／又は第３の信号に対して系列検出を実行してネットワークデバイスとの時間周波数同期を実現してもよく、或いは第１の信号及び／又は第３の信号に基づいてセルＩＤを取得してセルサーチを完了してもよい。さらに、端末デバイスは、完全な又は部分的なシステムフレーム番号を取得し、第５の信号を復調及びデコードして、後のアクセスプロセスにより必要とされる必要な情報を取得してもよい。例えば、第１のブロードキャストチャネル信号又は第１のシステム情報ブロック信号は、測定パイロット送信情報及びランダムアクセス構成情報のようなパラメータを含み、それにより、端末デバイスは、基地局が位置するネットワークにアクセスするための後のアクセスプロセスを実行し続けてもよい。別法として、第１の信号及び第２の信号は変調系列でもよく、この場合、端末デバイスは、第１の信号及び第３の信号に対して復調及び系列検出を実行する必要がある。
【００７１】
別の可能な設計において、別法として、端末デバイスは第１の信号、第２の信号、第３の信号、及び第５の信号を受信してもよい。第１の信号及び第２の信号はプライマリ同期信号であり、第１の信号のサブキャリア間隔は第２の信号のサブキャリア間隔と異なり、第３の信号は少なくともセカンダリ同期信号でもよく、第５の信号は第１のブロードキャストチャネル信号又は第１のシステム情報ブロック信号でもよく、例えば、第１のブロードキャストチャネル信号又は第１のシステム情報ブロック信号は、測定パイロット送信情報及びランダムアクセス構成情報のようなパラメータを含む。この場合、端末デバイスは、第１の信号及び第２の信号に基づいて時間周波数同期を実行し、第１の信号及び／又は第３の信号及び第５の信号に基づいてセルサーチを実行し、後のセルアクセスのための関連情報を取得してもよい。同様に、別法として、端末デバイスは、第１の信号、第２の信号、第４の信号、及び第６の信号を受信し、第１の信号及び第２の信号に基づいて時間周波数同期を実行し、第２の信号及び／又は第４の信号及び第６の信号に基づいてセルサーチを実行し、後のセルアクセスのための関連情報を取得してもよい。
【００７２】
さらに別の可能な設計において、別法として、端末デバイスは第１の信号、第２の信号、第３の信号、第４の信号、第５の信号、及び第６の信号を受信してもよい。第１の信号及び第２の信号はプライマリ同期信号であり、第３の信号及び第４の信号は少なくともセカンダリ同期信号でもよく、第５の信号及び第６の信号は第１のブロードキャストチャネル信号又は第１のシステム情報ブロック信号でもよい。第１の信号、第３の信号、及び第５の信号のサブキャリア間隔が同じであり、第２の信号、第４の信号、及び第６の信号のサブキャリア間隔が同じであり、第１の信号及び第２の信号のサブキャリア間隔が異なる。端末デバイスは、第１の信号及び／又は第３の信号並びに第２の信号及び／又は第４の信号に基づいて時間周波数同期及び／又はセルサーチを実行し、第５の信号及び第６の信号に基づいて後のセルアクセスのための情報を取得してもよく、それにより、端末デバイスは、セルにアクセスするための後のアクセスプロセスを実行し続けてもよい。
【００７３】
さらに、前述の３つの可能な設計において、端末は、ネットワークデバイスにより送信された第７の信号をさらに受信してもよい。第７の信号は第２のブロードキャストチャネル信号又は第２のシステム情報ブロック信号を含み、第２のブロードキャストチャネル信号又は第２のシステム情報ブロック信号は他の情報、例えば、ランダムアクセス構成情報を搬送する。
【００７４】
本発明のこの実施例は信号送信方法を提供する。ネットワークデバイスは、送信されるべき第１の信号のサブキャリア位置及び送信されるべき第２の信号のサブキャリア位置を決定する。第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループのサブキャリア間隔は第２のリソースエレメントグループのサブキャリア間隔と異なる。ネットワークデバイスは、第１の信号の決定されたサブキャリア位置で第１の信号を送信し、第２の信号の決定されたサブキャリア位置で第２の信号を送信する。第１の信号及び第２の信号が時間周波数同期及びセルサーチに使用され得るとき、端末デバイスは、セルが位置するネットワークにアクセスするために使用される関連情報を取得して、異なるサブキャリア間隔を有するセルにアクセスすること又は異なるサブキャリア間隔を有する時間周波数リソースを使用することによりネットワークデバイスと通信することにおいて端末デバイスをサポートし得る。これは、端末デバイスが複数のサブキャリア間隔をサポートするシステムにアクセスできるようにネットワークデバイスにより信号を送信する方法の問題を解決できる。
【００７５】
前述ではネットワーク要素間の相互作用の観点から本発明の実施例で提供される解決策を主に説明した。前述の機能を実現するために、ネットワークデバイス及び端末デバイスのようなネットワーク要素は、各機能を実行するために使用される対応するハードウェア構成及び／又はソフトウェアモジュールを含むことが理解され得る。当業者は、この明細書で開示される実施例で説明された例と組み合わせて、ユニット及びアルゴリズムステップがハードウェア又はハードウェアとコンピュータソフトウェアとの組み合わせにより実現されてもよいことを容易に認識するべきである。機能がハードウェアにより実行されるか又はコンピュータソフトウェアにより駆動されたハードウェアにより実行されるかは、技術的解決策の具体的な適用及び設計制約に依存する。当業者は、異なる方法を使用して各々の具体的な適用に対して説明された機能を実現してもよいが、その実現方式は本発明の範囲を越えると考えられるべきでない。
【００７６】
本発明の実施例において、ネットワークデバイス及び端末デバイスの機能モジュールは前述の方法の例に基づいて分割されてもよい。例えば、各機能モジュールが各機能に基づいて分割されてもよく、或いは２つ以上の機能が１つの処理モジュールに統合されてもよい。統合されたモジュールは、ハードウェアの形式で実現されもよく、或いはソフトウェア機能モジュールの形式で実現されもよい。本発明の実施例におけるモジュール分割は例であり、論理的な機能分割に過ぎないことが留意されるべきである。実際の実現方式において別の分割方式が存在し得る。
【００７７】
各機能モジュールが各々の対応する機能に基づく分割を通じて取得されるとき、図６は、前述の実施例におけるネットワークデバイスの可能な概略構成図である。ネットワークデバイスは、処理ユニット６０１及び送信ユニット６０２を含む。処理ユニット６０１は、図３Ａにおけるプロセス３０１乃至３０３を実行することにおいてネットワークデバイスをサポートするように構成され、送信ユニット６０２は、図３Ｂにおけるプロセス３０４を実行することにおいてネットワークデバイスをサポートするように構成される。前述の方法の実施例における各ステップのすべての関連内容が対応する機能モジュールの機能説明において引用されてもよく、詳細はここで再度説明されない。
【００７８】
統合されたユニットが使用されるとき、図７は、前述の実施例におけるネットワークデバイスの可能な概略構成図である。ネットワークデバイスは、処理モジュール７０２及び通信モジュール７０３を含む。処理モジュール７０２は、ネットワークデバイスの動作を制御及び管理するように構成される。例えば、処理モジュール７０２は、図３Ａにおけるプロセス３０１乃至３０３を実行することにおいてネットワークデバイスをサポートするように構成され、且つ／或いはこの明細書で説明される技術の別のプロセスを実行するように構成される。通信モジュール７０３は、別のネットワークエンティティと通信すること、例えば、図１及び図２に示される機能モジュール又はネットワークエンティティと通信することにおいてネットワークデバイスをサポートするように構成される。ネットワークデバイスは、ネットワークデバイスのプログラムコード及びデータを記憶するように構成された記憶モジュール７０１をさらに含んでもよい。
【００７９】
処理モジュール７０２は、中央処理ユニット（Central  Processing  Unit、ＣＰＵ）、汎用プロセッサ、デジタルシグナルプロセッサ（Digital  Signal  Processor、ＤＳＰ）、特定用途向け集積回路（Application-Specific  Integrated  Circuit、ＡＳＩＣ）、フィールドプログラマブルゲートアレイ（Field-Programmable  Gate  Array、ＦＰＧＡ）、若しくは別のプログラム可能論理デバイス、トランジスタ論理デバイス、ハードウェアコンポーネント、又はこれらの組み合わせのような、プロセッサ又はコントローラでもよい。コントローラ／プロセッサは、本発明で開示される内容を参照して説明される様々な例示的な論理ブロック、モジュール、及び回路を実現又は実行してもよい。別法として、プロセッサは、計算機能を実現するプロセッサの組み合わせ、例えば、１つ以上のマイクロプロセッサの組み合わせ、又はＤＳＰとマイクロプロセッサとの組み合わせでもよい。通信モジュール７０３は、トランシーバ、トランシーバ回路、通信インターフェースなどでもよい。記憶モジュール７０１はメモリでもよい。
【００８０】
処理モジュール７０２がプロセッサであり、通信モジュール７０３がトランシーバであり、記憶モジュール７０１がメモリであるとき、本発明のこの実施例で使用されるネットワークデバイスは図８に示されるネットワークデバイスでもよい。
【００８１】
図８に示されるように、ネットワークデバイスは、プロセッサ８０２、トランシーバ８０３、メモリ８０１、及びバス８０４を含む。トランシーバ８０３、プロセッサ８０２、及びメモリ８０１は、バス８０４を使用することにより相互接続される。バス８０４は、ペリフェラルコンポーネントインターコネクト（Peripheral  Component  Interconnect、ＰＣＩ）バス、拡張インダストリスタンダードアーキテクチャ（Extended  Industry  Standard  Architecture、ＥＩＳＡ）バスなどでもよい。バスは、アドレスバス、データバス、制御バスなどに分類され得る。表現の容易さのため、１つの太線のみが図８においてバスを表すために使用されるが、これは１つのバスのみ又は１タイプのバスのみが存在することを意味しない。
【００８２】
各機能モジュールが各々の対応する機能に基づく分割を通じて取得されるとき、図９は、前述の実施例における端末デバイスの可能な概略構成図である。端末デバイスは、受信ユニット９０１及び処理ユニット９０２を含む。処理ユニット９０２は、図３Ｂにおけるプロセス３０５を実行することにおいて端末デバイスをサポートするように構成され、受信ユニット９０１は、図３Ｂにおけるプロセス３０４においてネットワークデバイスにより送信された信号を受信することにおいて端末デバイスをサポートするように構成される。前述の方法の実施例における各ステップのすべての関連内容が対応する機能モジュールの機能説明において引用されてもよく、詳細はここで再度説明されない。
【００８３】
統合されたユニットが使用されるとき、図１０は、前述の実施例における端末デバイスの可能な概略構成図である。端末デバイスは、処理モジュール１０２及び通信モジュール１０３を含む。処理モジュール１０２は、端末デバイスの動作を制御及び管理するように構成される。例えば、処理モジュール１０２は、図３Ｂにおけるプロセス３０５を実行することにおいて端末デバイスをサポートするように構成され、且つ／或いはこの明細書で説明される技術の別のプロセスを実行するように構成される。通信モジュール１０３は、別のネットワークエンティティと通信すること、例えば、図１に示される機能モジュール又はネットワークエンティティと通信することにおいて端末デバイスをサポートするように構成される。端末デバイスは、端末デバイスのプログラムコード及びデータを記憶するように構成された記憶モジュール１０１をさらに含んでもよい。
【００８４】
処理モジュール１０２は、中央処理ユニット（Central  Processing  Unit、ＣＰＵ）、汎用プロセッサ、デジタルシグナルプロセッサ（Digital  Signal  Processor、ＤＳＰ）、特定用途向け集積回路（Application-Specific  Integrated  Circuit、ＡＳＩＣ）、フィールドプログラマブルゲートアレイ（Field-Programmable  Gate  Array、ＦＰＧＡ）、若しくは別のプログラム可能論理デバイス、トランジスタ論理デバイス、ハードウェアコンポーネント、又はこれらの組み合わせのような、プロセッサ又はコントローラでもよい。コントローラ／プロセッサは、本発明で開示される内容を参照して説明される様々な例示的な論理ブロック、モジュール、及び回路を実現又は実行してもよい。別法として、プロセッサは、計算機能を実現するプロセッサの組み合わせ、例えば、１つ以上のマイクロプロセッサの組み合わせ、又はＤＳＰとマイクロプロセッサとの組み合わせでもよい。通信モジュール１０３は、トランシーバ、トランシーバ回路、通信インターフェースなどでもよい。記憶モジュール１０１はメモリでもよい。
【００８５】
処理モジュール１０２がプロセッサであり、通信モジュール１０３がトランシーバであり、記憶モジュール１０１がメモリであるとき、本発明のこの実施例で使用される端末デバイスは図１１に示される端末デバイスでもよい。
【００８６】
図１１に示されるように、端末デバイスは、プロセッサ１１２、トランシーバ１１３、メモリ１１１、及びバス１１４を含む。トランシーバ１１３、プロセッサ１１２、及びメモリ１１１は、バス１１４を使用することにより相互接続されてもよい。バス１１４は、ペリフェラルコンポーネントインターコネクトＰＣＩバス、拡張インダストリスタンダードアーキテクチャＥＩＳＡバスなどでもよい。バスは、アドレスバス、データバス、制御バスなどに分類され得る。表現の容易さのため、１つの太線のみが図１１においてバスを表すために使用されるが、これは１つのバスのみ又は１タイプのバスのみが存在することを意味しない。
【００８７】
本発明で開示される内容と組み合わせて説明された方法又はアルゴリズムステップは、ハードウェアにより実現されてもよく、或いはソフトウェア命令を実行することによりプロセッサにより実現されてもよい。ソフトウェア命令は、対応するソフトウェアモジュールを含んでもよい。ソフトウェアモジュールは、ランダムアクセスメモリ（Random  Access  Memory、略称ＲＡＭ）、フラッシュメモリ、読取専用メモリ（Read  Only  Memory、ＲＯＭ）、消去可能プログラム可能読取専用メモリ（Erasable  Programmable  ROM、ＥＰＲＯＭ）、電気的消去可能プログラム可能読取専用メモリ（Electrically  EPROM、ＥＥＰＲＯＭ）、レジスタ、ハードディスク、モバイルハードディスク、コンパクトディスク読取専用メモリ（ＣＤ‐ＲＯＭ）、又は当該分野において周知の任意の他の形式の記憶媒体に記憶されてもよい。例えば、記憶媒体はプロセッサに結合され、それにより、プロセッサは記憶媒体から情報を読み出し、或いは記憶媒体に情報を書き込むことができる。確かに、記憶媒体はプロセッサのコンポーネントでもよい。プロセッサ及び記憶媒体はＡＳＩＣに位置してもよい。さらに、ＡＳＩＣはコアネットワークインターフェースデバイスに位置してもよい。確かに、プロセッサ及び記憶媒体は、ディスクリートコンポーネントとしてコアネットワークインターフェースデバイスに存在してもよい。
【００８８】
当業者は、前述の１つ以上の例において、本発明で説明された機能がハードウェア、ソフトウェア、ファームウェア、又はこれらの任意の組み合わせにより実現されてもよいことを認識するべきである。本発明がソフトウェアにより実現されるとき、前述の機能はコンピュータ読取可能媒体に記憶され、或いはコンピュータ読取可能媒体において１つ以上の命令又はコードとして伝送されてもよい。コンピュータ読取可能媒体はコンピュータ記憶媒体及び通信媒体を含み、通信媒体はコンピュータプログラムがある場所から他へ伝送されることを可能にする任意の媒体を含む。記憶媒体は、汎用又は専用コンピュータにとってアクセス可能な任意の利用可能な媒体でもよい。
【００８９】
前述の説明は本発明の特定の実現方式に過ぎず、本発明の保護範囲を限定することは意図されない。本発明で開示された技術的範囲内で当業者により容易に理解されるいかなる変形又は置換も本発明の保護範囲内に入るものとする。ゆえに、本発明の保護範囲は請求項の保護範囲に従うものとする。
【図１】
2019526966.tif 000003
【図２】
2019526966.tif 000004
【図３Ａ】
2019526966.tif 000005
【図３Ｂ】
2019526966.tif 000006
【図４】
2019526966.tif 000007
【図５】
2019526966.tif 000008
【図６】
2019526966.tif 000009
【図７】
2019526966.tif 000010
【図８】
2019526966.tif 000011
【図９】
2019526966.tif 000012
【図１０】
2019526966.tif 000013
【図１１】
2019526966.tif 000014
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
信号送信方法であって、
ネットワークデバイスにより、送信されるべき第１の信号のサブキャリア位置及び送信されるべき第２の信号のサブキャリア位置を決定するステップであり、前記第１の信号により占有されるサブキャリアは第１のリソースエレメントグループ内の連続サブキャリアであり、前記第２の信号により占有されるサブキャリアは第２のリソースエレメントグループ内の連続サブキャリアであり、前記第１の信号により占有される前記サブキャリアの数は前記第２の信号により占有される前記サブキャリアの数と同じであり、前記第１のリソースエレメントグループ内のサブキャリア間隔は前記第２のリソースエレメントグループ内のサブキャリア間隔と異なり、前記第１の信号及び前記第２の信号はプライマリ同期信号である、ステップと、
前記ネットワークデバイスにより、前記第１の信号の前記決定されたサブキャリア位置で前記第１の信号を送信し、前記第２の信号の前記決定されたサブキャリア位置で前記第２の信号を送信するステップと、
を含む方法。
【請求項２】
前記第１のリソースエレメントグループ内の前記連続サブキャリア及び前記第２のリソースエレメントグループ内の前記連続サブキャリアはゼロ番目のサブキャリアを含まず、前記第１のリソースエレメントグループ及び前記第２のリソースエレメントグループは時間ドメインにおいて同じ数のシンボル又は異なる数のシンボルを占有し、時間ドメインにおいて１つのシンボル又は少なくとも２つの連続シンボルを占有する、請求項１に記載の方法。
【請求項３】
当該方法は、
前記ネットワークデバイスにより、送信されるべき第３の信号のサブキャリア位置及び送信されるべき第４の信号のサブキャリア位置を決定するステップであり、前記第３の信号により占有されるサブキャリアは第３のリソースエレメントグループ内の連続サブキャリアであり、前記第４の信号により占有されるサブキャリアは第４のリソースエレメントグループ内の連続サブキャリアであり、前記第３の信号により占有される前記サブキャリアの数は前記第４の信号により占有される前記サブキャリアの数と同じであり、前記第３のリソースエレメントグループ内のサブキャリア間隔は前記第１のリソースエレメントグループ内の前記サブキャリア間隔と同じであり、前記第４のリソースエレメントグループ内のサブキャリア間隔は前記第２のリソースエレメントグループ内の前記サブキャリア間隔と同じであり、前記第３の信号及び前記第４の信号は少なくともセカンダリ同期信号を含む、ステップ
をさらに含む請求項１又は２に記載の方法。
【請求項４】
当該方法は、
前記ネットワークデバイスにより、送信されるべき第５の信号のサブキャリア位置及び送信されるべき第６の信号のサブキャリア位置を決定するステップであり、前記第５の信号により占有されるサブキャリアは第５のリソースエレメントグループ内の連続サブキャリアであり、前記第６の信号により占有されるサブキャリアは第６のリソースエレメントグループ内の連続サブキャリアであり、前記第５の信号により占有される前記サブキャリアの数は前記第６の信号により占有される前記サブキャリアの数と同じであり、前記第５のリソースエレメントグループ内のサブキャリア間隔は前記第１のリソースエレメントグループ及び／又は前記第３のリソースエレメントグループ内の前記サブキャリア間隔と同じであり、前記第６のリソースエレメントグループ内のサブキャリア間隔は前記第２のリソースエレメントグループ及び／又は前記第４のリソースエレメントグループ内の前記サブキャリア間隔と同じであり、前記第５の信号及び前記第６の信号は第１のブロードキャストチャネル信号又は第１のシステム情報ブロック信号である、ステップ
をさらに含む請求項３に記載の方法。
【請求項５】
前記第５の信号のデータ信号を搬送し且つ前記第５のリソースエレメントグループ内であるリソースエレメントの位置が、前記第６の信号のデータ信号を搬送し且つ前記第６のリソースエレメントグループ内であるリソースエレメントの位置と同じであり、前記第５の信号のパイロット信号を搬送し且つ前記第５のリソースエレメントグループ内であるリソースエレメントの位置が、前記第６の信号のパイロット信号を搬送し且つ前記第６のリソースエレメントグループ内であるリソースエレメントの位置と同じであり、前記リソースエレメントは単位シンボルにおける周波数ドメインリソースである、請求項４に記載の方法。
【請求項６】
前記第１のリソースエレメントグループと前記第３のリソースエレメントグループと前記第５のリソースエレメントグループとの中の少なくとも２つのリソースエレメントグループが同じ時間ドメインリソース上の異なる周波数ドメインリソースを占有し、前記第２のリソースエレメントグループと前記第４のリソースエレメントグループと前記第６のリソースエレメントグループとの中の少なくとも２つのリソースエレメントグループが同じ時間ドメインリソース上の異なる周波数ドメインリソースを占有する、請求項４又は５に記載の方法。
【請求項７】
前記第１のリソースエレメントグループと前記第３のリソースエレメントグループと前記第５のリソースエレメントグループとの中の少なくとも２つのリソースエレメントグループが第１のキャリアに位置し、前記第２のリソースエレメントグループと前記第４のリソースエレメントグループと前記第６のリソースエレメントグループとの中の少なくとも２つのリソースエレメントグループが第２のキャリアに位置し、前記第１のキャリア及び前記第２のキャリアは異なる周波数ドメインリソースを占有する、請求項４乃至６のうちいずれか１項に記載の方法。
【請求項８】
前記第１のリソースエレメントグループは前記第１のキャリアにおける少なくとも１つの周波数ドメインリソース単位を占有し、前記第２のリソースエレメントグループは前記第２のキャリアにおける少なくとも１つの周波数ドメインリソース単位を占有し、前記第１のキャリアにおける前記第１のリソースエレメントグループにより占有される前記周波数ドメインリソース単位の系列番号は、前記第２のキャリアにおける前記第２のリソースエレメントグループにより占有される前記周波数ドメインリソース単位の系列番号と同じであり、
前記第３のリソースエレメントグループは前記第１のキャリアにおける少なくとも１つの周波数ドメインリソース単位を占有し、前記第４のリソースエレメントグループは前記第２のキャリアにおける少なくとも１つの周波数ドメインリソース単位を占有し、前記第１のキャリアにおける前記第３のリソースエレメントグループにより占有される前記周波数ドメインリソース単位の系列番号は、前記第２のキャリアにおける前記第４のリソースエレメントグループにより占有される前記周波数ドメインリソース単位の系列番号と同じであり、
前記第５のリソースエレメントグループは前記第１のキャリアにおける少なくとも１つの周波数ドメインリソース単位を占有し、前記第６のリソースエレメントグループは前記第２のキャリアにおける少なくとも１つの周波数ドメインリソース単位を占有し、前記第１のキャリアにおける前記第５のリソースエレメントグループにより占有される前記周波数ドメインリソース単位の系列番号は、前記第２のキャリアにおける前記第６のリソースエレメントグループにより占有される前記周波数ドメインリソース単位の系列番号と同じであり、
前記周波数ドメインリソース単位はサブキャリアグループである、
請求項７に記載の方法。
【請求項９】
信号受信方法であって、
端末デバイスにより、ネットワークデバイスにより送信される第１の信号及び第２の信号を受信するステップであり、前記第１の信号により占有されるサブキャリアは第１のリソースエレメントグループ内の連続サブキャリアであり、前記第２の信号により占有されるサブキャリアは第２のリソースエレメントグループ内の連続サブキャリアであり、前記第１の信号により占有されるサブキャリアの数は前記第２の信号により占有されるサブキャリアの数と同じであり、前記第１のリソースエレメントグループ内のサブキャリア間隔は前記第２のリソースエレメントグループ内のサブキャリア間隔と異なり、前記第１の信号及び前記第２の信号はプライマリ同期信号である、ステップ、
を含む方法。
【請求項１０】
前記第１のリソースエレメントグループ内の前記連続サブキャリア及び前記第２のリソースエレメントグループ内の前記連続サブキャリアはゼロ番目のサブキャリアを含まず、前記第１のリソースエレメントグループ及び前記第２のリソースエレメントグループは時間ドメインにおいて同じ数のシンボル又は異なる数のシンボルを占有し、時間ドメインにおいて１つのシンボル又は少なくとも２つの連続シンボルを占有する、請求項９に記載の方法。
【請求項１１】
当該方法は、
前記端末デバイスにより、前記ネットワークデバイスにより送信される第３の信号及び第４の信号を受信するステップであり、前記第３の信号により占有されるサブキャリアは第３のリソースエレメントグループ内の連続サブキャリアであり、前記第４の信号により占有されるサブキャリアは第４のリソースエレメントグループ内の連続サブキャリアであり、前記第３の信号により占有される前記サブキャリアの数は前記第４の信号により占有される前記サブキャリアの数と同じであり、前記第３のリソースエレメントグループ内のサブキャリア間隔は前記第１のリソースエレメントグループ内の前記サブキャリア間隔と同じであり、前記第４のリソースエレメントグループ内のサブキャリア間隔は前記第２のリソースエレメントグループ内の前記サブキャリア間隔と同じであり、前記第３の信号及び前記第４の信号は少なくともセカンダリ同期信号を含む、ステップ
をさらに含む請求項９又は１０に記載の方法。
【請求項１２】
当該方法は、
前記端末デバイスにより、前記ネットワークデバイスにより送信される第５の信号及び第６の信号を受信するステップであり、前記第５の信号により占有されるサブキャリアは第５のリソースエレメントグループ内の連続サブキャリアであり、前記第６の信号により占有されるサブキャリアは第６のリソースエレメントグループ内の連続サブキャリアであり、前記第５の信号により占有される前記サブキャリアの数は前記第６の信号により占有される前記サブキャリアの数と同じであり、前記第５のリソースエレメントグループ内のサブキャリア間隔は前記第１のリソースエレメントグループ及び／又は第３のリソースエレメントグループ内の前記サブキャリア間隔と同じであり、前記第６のリソースエレメントグループ内のサブキャリア間隔は前記第２のリソースエレメントグループ及び／又は第４のリソースエレメントグループ内の前記サブキャリア間隔と同じであり、前記第５の信号及び前記第６の信号は第１のブロードキャストチャネル信号又は第１のシステム情報ブロック信号である、ステップ
をさらに含む請求項１１に記載の方法。
【請求項１３】
前記第５の信号のデータ信号を搬送し且つ前記第５のリソースエレメントグループ内であるリソースエレメントの位置が、前記第６の信号のデータ信号を搬送し且つ前記第６のリソースエレメントグループ内であるリソースエレメントの位置と同じであり、前記第５の信号のパイロット信号を搬送し且つ前記第５のリソースエレメントグループ内であるリソースエレメントの位置が、前記第６の信号のパイロット信号を搬送し且つ前記第６のリソースエレメントグループ内であるリソースエレメントの位置と同じであり、前記リソースエレメントは単位シンボルにおける周波数ドメインリソースである、請求項１２に記載の方法。
【請求項１４】
前記第１のリソースエレメントグループと前記第３のリソースエレメントグループと前記第５のリソースエレメントグループとの中の少なくとも２つのリソースエレメントグループが同じ時間ドメインリソース上の異なる周波数ドメインリソースを占有し、前記第２のリソースエレメントグループと前記第４のリソースエレメントグループと前記第６のリソースエレメントグループとの中の少なくとも２つのリソースエレメントグループが同じ時間ドメインリソース上の異なる周波数ドメインリソースを占有する、請求項１２又は１３に記載の方法。
【請求項１５】
前記第１のリソースエレメントグループと前記第３のリソースエレメントグループと前記第５のリソースエレメントグループとの中の少なくとも２つのリソースエレメントグループが第１のキャリアに位置し、前記第２のリソースエレメントグループと前記第４のリソースエレメントグループと前記第６のリソースエレメントグループとの中の少なくとも２つのリソースエレメントグループが第２のキャリアに位置し、前記第１のキャリア及び前記第２のキャリアは異なる周波数ドメインリソースを占有する、請求項１２乃至１４のうちいずれか１項に記載の方法。
【請求項１６】
前記第１のリソースエレメントグループは前記第１のキャリアにおける少なくとも１つの周波数ドメインリソース単位を占有し、前記第２のリソースエレメントグループは前記第２のキャリアにおける少なくとも１つの周波数ドメインリソース単位を占有し、前記第１のキャリアにおける前記第１のリソースエレメントグループにより占有される前記周波数ドメインリソース単位の系列番号は、前記第２のキャリアにおける前記第２のリソースエレメントグループにより占有される前記周波数ドメインリソース単位の系列番号と同じであり、
前記第３のリソースエレメントグループは前記第１のキャリアにおける少なくとも１つの周波数ドメインリソース単位を占有し、前記第４のリソースエレメントグループは前記第２のキャリアにおける少なくとも１つの周波数ドメインリソース単位を占有し、前記第１のキャリアにおける前記第３のリソースエレメントグループにより占有される前記周波数ドメインリソース単位の系列番号は、前記第２のキャリアにおける前記第４のリソースエレメントグループにより占有される前記周波数ドメインリソース単位の系列番号と同じであり、
前記第５のリソースエレメントグループは前記第１のキャリアにおける少なくとも１つの周波数ドメインリソース単位を占有し、前記第６のリソースエレメントグループは前記第２のキャリアにおける少なくとも１つの周波数ドメインリソース単位を占有し、前記第１のキャリアにおける前記第５のリソースエレメントグループにより占有される前記周波数ドメインリソース単位の系列番号は、前記第２のキャリアにおける前記第６のリソースエレメントグループにより占有される前記周波数ドメインリソース単位の系列番号と同じであり、
前記周波数ドメインリソース単位はサブキャリアグループである、
請求項１５に記載の方法。
【請求項１７】
プログラムを記憶する読取可能記憶媒体であって、前記プログラムが実行されたとき、請求項１乃至１６のうちいずれか１項に記載の方法が実行される、読取可能記憶媒体。
【請求項１８】
プログラム命令に関連したハードウェアを含む信号送信装置であって、前記ハードウェアは請求項１乃至８のうちいずれか１項に記載の方法及びステップを実行するように構成される、信号送信装置。
【請求項１９】
プログラム命令に関連したハードウェアを含む信号受信装置であって、前記ハードウェアは請求項９乃至１６のうちいずれか１項に記載の方法及びステップを実行するように構成される、信号受信装置。
【請求項２０】
プロセッサとメモリとを含むネットワークデバイスであって、前記メモリはプログラムを記憶するように構成され、前記プロセッサは前記プログラムを実行するように構成され、前記プログラムが実行されたとき、請求項１乃至８のうちいずれか１項に記載の方法が実行される、ネットワークデバイス。
【請求項２１】
プロセッサとメモリとを含む端末であって、前記メモリはプログラムを記憶するように構成され、前記プロセッサは前記プログラムを実行するように構成され、前記プログラムが実行されたとき、請求項９乃至１６のうちいずれか１項に記載の方法が実行される、端末。
【請求項２２】
請求項２０に記載の少なくとも１つのネットワークデバイスと請求項２１に記載の少なくとも１つの端末とを含む通信システム。
【手続補正２】
【補正対象書類名】明細書
【補正対象項目名】００１８
【補正方法】変更
【補正の内容】
【００１８】
別の態様によれば、信号受信方法が提供され、端末デバイスにより、ネットワークデバイスにより送信される第１の信号及び第２の信号を受信するステップであり、第１の信号により占有されるサブキャリアは第１のリソースエレメントグループ内の連続サブキャリアであり、第２の信号により占有されるサブキャリアは第２のリソースエレメントグループ内の連続サブキャリアであり、第１の信号により占有されるサブキャリアの数は第２の信号により占有されるサブキャリアの数と同じであり、第１のリソースエレメントグループ内のサブキャリア間隔は第２のリソースエレメントグループ内のサブキャリア間隔と異なる、ステップと、端末デバイスにより、第１の信号及び第２の信号に対する検出を実行するステップ、又は端末デバイスにより、第１の信号及び第２の信号に対する復調及び検出を実行するステップ、又は端末デバイスにより、第１の信号及び第２の信号に対する復調及びデコードを実行するステップと、を含む。
【国際調査報告】
2019526966.tif 000015
2019526966.tif 000016
2019526966.tif 000017
2019526966.tif 000018